(57)【要約】  パーソナルコントローラとのピアツーピアワイヤレス通信リンクによって、住宅または商用地における照明を制御するためのシステムおよび方法。このシステムは、少なくとも１つの照明モジュール（３００ａ、３００ｂ、３００ｃ）と、パーソナルコントルーラとのワイヤレス通信のために動作可能なワイヤレス通信モジュール（２０２）を有するシステムアドミニストレータデバイス（２００）とを含む。システムアドミニストレータデバイスはまた、照明モジュールのうちの少なくとも１つとの送電線通信のために構成されたローカル通信モジュール（２０６）をも含む。
2017511966.tif 000002
【特許請求の範囲】
【請求項１】
パーソナルコントローラを用いて、ワイヤレス通信リンクを介して、住宅または商用地における照明を制御するためのシステムであって、前記パーソナルコントローラは、プロセッサ、ユーザインターフェース、およびワイヤレス通信トランシーバを有し、前記システムは、
少なくとも１つの照明モジュールであって、マイクロコントローラ、送電線通信コントローラ、および、前記送電線通信コントローラに動作可能に接続された送電線接続を含み、前記照明モジュールは、前記照明モジュールに接続された照明への電力を変化させるように構成された、少なくとも１つの照明モジュールと、
マイクロコントローラと、前記パーソナルコントローラとのワイヤレス通信のために動作可能なワイヤレス通信モジュールと、前記照明モジュールの前記送電線通信コントローラとの送電線通信のために構成されたローカル通信モジュールとを含むシステムアドミニストレータデバイスであって、前記ワイヤレス通信モジュールは、ピアツーピア通信リンクを使用して前記パーソナルコントローラと通信するように構成された回路を含む、システムアドミニストレータデバイスと、
を備えるシステム。
【請求項２】
前記照明モジュールが、主電力と共に使用するために構成された、請求項１に記載のシステム。
【請求項３】
前記照明モジュールが、低電圧ランプと共に使用するために構成された、請求項１に記載のシステム。
【請求項４】
前記低電圧ランプが、白熱ランプを含む、請求項３に記載のシステム。
【請求項５】
前記低電圧ランプが、ＬＥＤランプを含む、請求項３に記載のシステム。
【請求項６】
前記照明モジュールに接続された安定器をさらに備える、請求項１から５のいずれか一項に記載のシステム。
【請求項７】
少なくとも第２の照明モジュールをさらに備える、請求項１から６のいずれか一項に記載のシステム。
【請求項８】
前記照明モジュールの前記送電線通信コントローラと、前記第２の照明モジュールとが、ＨｏｍｅＰｌｕｇ送電線規格を使用して通信するように構成された、請求項７に記載のシステム。
【請求項９】
前記照明モジュールと、前記第２の照明モジュールとが、送電線ネットワークを形成するように構成された、請求項７に記載のシステム。
【請求項１０】
前記照明モジュールのうちの１つが、白熱ランプへの接続のために構成され、前記照明モジュールのうちの別の１つが、ＬＥＤランプへの接続のために構成された、請求項７に記載のシステム。
【請求項１１】
前記システムアドミニストレータデバイスの前記ローカル通信モジュールが、前記照明モジュールとの送電線通信のために構成された送電線接続と、前記照明モジュールとのワイヤレス通信のために構成された無線機とを含む、請求項１に記載のシステム。
【請求項１２】
前記無線機が、メッシュネットワークとの通信のために構成された、請求項１１に記載のシステム。
【請求項１３】
ＷＬＡＮアクセスポイントとの通信のために構成された第２の無線機をさらに備える、請求項１１に記載のシステム。
【請求項１４】
前記システムアドミニストレータデバイスが、電源にプラグインするように構成された、請求項１から１３のいずれか一項に記載のシステム。
【請求項１５】
前記システムアドミニストレータデバイスが、前記照明モジュールと係合するように構成されたレセプタクルを含む、請求項１から１３のいずれか一項に記載のシステム。
【請求項１６】
前記システムアドミニストレータデバイスが、電源と統合された、請求項１から１３のいずれか一項に記載のシステム。
【請求項１７】
前記システムアドミニストレータデバイスが、照明スイッチへ統合された、請求項１から１３のいずれか一項に記載のシステム。
【請求項１８】
前記システムアドミニストレータデバイスが、汎用電力コンセントへ統合された、請求項１から１３のいずれか一項に記載のシステム。
【請求項１９】
前記照明モジュールが、前記システムアドミニストレータデバイスと係合するように構成されたプラグを含む、請求項１から１３のいずれか一項に記載のシステム。
【請求項２０】
前記システムアドミニストレータデバイスの前記ワイヤレス通信モジュールの前記回路が、Ｗｉ−Ｆｉ  Ｄｉｒｅｃｔを使用して前記パーソナルコントローラと通信するように構成された、請求項１から１９のいずれか一項に記載のシステム。
【請求項２１】
前記システムアドミニストレータデバイスの前記ワイヤレス通信モジュールの前記回路が、Ｂｌｕｅｔｏｏｔｈを使用して、前記パーソナルコントローラと通信するように構成された、請求項１から１９のいずれか一項に記載のシステム。
【請求項２２】
前記システムアドミニストレータデバイスのワイヤレス通信モジュールの前記マイクロコントローラが、１つよりも多くのモードで、前記システムアドミニストレータデバイスの前記ワイヤレスモジュールを動作させるように構成され、前記マイクロコントローラが、前記ピアツーピア通信リンクを使用する第１のモードで前記ワイヤレス通信モジュールを動作させるように構成され、前記マイクロコントローラが、非ピアツーピア通信リンクを使用する第２のモードで前記ワイヤレスモジュールを動作させるように構成された、請求項１から２１のいずれか一項に記載のシステム。
【請求項２３】
前記システムアドミニストレータデバイスの前記ワイヤレス通信モジュールの前記マイクロコントローラが、前記第１のモードおよび前記第２のモードにおいて同時に前記ワイヤレス通信モジュールを動作させるように構成された、請求項２２に記載のシステム。
【請求項２４】
前記システムアドミニストレータデバイスの前記ワイヤレス通信モジュールの前記マイクロコントローラが、前記第２のモードで動作している間、ネットワーククライアントデバイスとして機能するように構成された、請求項２２または２３に記載のシステム。
【請求項２５】
前記システムアドミニストレータデバイスの前記ワイヤレス通信モジュールが、Ｗｉ−Ｆｉアクセスポイントを模擬することによって、前記パーソナルコントローラとのピアツーピアワイヤレス通信リンクを開くように構成された、請求項１に記載のシステム。
【請求項２６】
前記システムアドミニストレータデバイスの前記マイクロコントローラが、前記パーソナルコントローラから、暗号化された命令を受け取るように構成された、請求項１から２５のいずれか一項に記載のシステム。
【請求項２７】
前記照明モジュールが、電力測定回路を含む、請求項１から２６のいずれか一項に記載のシステム。
【請求項２８】
前記システムアドミニストレータデバイスの前記マイクロコントローラが、前記電力測定回路を使用して、前記照明モジュールによって制御されている照明器具が故障したか否かを判定するように構成された、請求項２７に記載のシステム。
【請求項２９】
前記システムアドミニストレータデバイスのマイクロコントローラが、前記パーソナルコントローラとは独立して、前記照明モジュールへ命令するように構成された、請求項１から２８のいずれか一項に記載のシステム。
【請求項３０】
前記システムアドミニストレータデバイスの前記マイクロコントローラが、前記パーソナルコントローラとは独立して、複数の前記照明モジュールへ同時に命令するように構成された、請求項２９に記載のシステム。
【請求項３１】
前記システムアドミニストレータデバイスの前記マイクロコントローラが、前記パーソナルコントローラとは独立して、複数の前記照明モジュールへ個々に命令するように構成された、請求項２９に記載のシステム。
【請求項３２】
パーソナルコントローラを用いて、住宅または商用地における照明を制御するための方法であって、
照明位置における少なくとも１つの指定された照明への電力を変化させるために、前記パーソナルコントローラからの命令を、前記照明位置またはその近傍におけるシステムアドミニストレータデバイスにおいて受信することであって、前記命令は、ワイヤレス通信規格を使用して、前記システムアドミニストレータデバイスによって受信される、受信することと、
前記指定された照明への電力を変化させるために、前記指定された照明に接続された少なくとも１つの照明モジュールへ、前記システムアドミニストレータデバイスを用いて命令を送信することであって、前記命令は、送電線通信規格を使用して、前記システムアドミニストレータデバイスによって送信される、送信することと、
前記システムアドミニストレータデバイスから受信された前記命令に従って、前記照明モジュールを用いて、前記指定された照明への電力を変化させることと、
を備える方法。
【請求項３３】
前記ワイヤレス通信規格が、ピアツーピア通信規格である、請求項３２に記載の方法。
【請求項３４】
前記ワイヤレス通信規格が、Ｗｉ−Ｆｉ  Ｄｉｒｅｃｔである、請求項３２に記載の方法。
【請求項３５】
前記ワイヤレス通信規格が、ネットワークＷｉ−Ｆｉである、請求項３２に記載の方法。
【請求項３６】
前記送電線通信規格が、ＨｏｍｅＰｌｕｇ送電線規格を含む、請求項３２から３５のいずれか一項に記載の方法。
【請求項３７】
前記命令が、メッシュネットワークを使用して前記照明モジュールへ送信される、請求項３２に記載の方法。
【請求項３８】
前記命令が、前記指定された照明を減光させることを含む、請求項３２に記載の方法。
【請求項３９】
前記命令が、前記指定された照明を、オンまたはオフすることを含む、請求項３２に記載の方法。
【請求項４０】
前記指定された照明のためのランプのタイプを決定することをさらに備える、請求項３２に記載の方法。
【請求項４１】
前記決定することが、前記指定された照明が、ＬＥＤランプまたは白熱ランプであるかを判定することを含む、請求項４０に記載の方法。
【請求項４２】
前記ランプのタイプの判定に基づいて、前記指定された照明への電力へ変化させることをさらに備える、請求項４０または４１に記載の方法。
【請求項４３】
模擬されたＷｉ−Ｆｉアクセスポイントの役割を、前記システムアドミニストレータデバイスへ割り当てることを含む、前記システムアドミニストレータデバイスと前記パーソナルコントローラとの間のピアツーピアワイヤレス通信リンクを開くことをさらに備える、請求項３２から４２のいずれか一項に記載の方法。
【請求項４４】
前記システムアドミニストレータデバイスを、ネットワークＷｉ−Ｆｉデバイスおよび／またはＷｉ−Ｆｉ  Ｄｉｒｅｃｔアクセスポイント／グループ参加者として設定するために、前記パーソナルコントローラと前記システムアドミニストレータデバイスとの間のＢｌｕｅｔｏｏｔｈ通信リンクを確立することをさらに備える、請求項３２に記載の方法。
【請求項４５】
前記システムアドミニストレータデバイスによって前記少なくとも１つの照明モジュールへ送信される前記命令を暗号化することをさらに備える、請求項３２に記載の方法。
【請求項４６】
前記照明モジュールへ接続された少なくとも１つの照明器具へ送られた電力を測定することをさらに備える、請求項３２から４５のいずれか一項に記載の方法。
【請求項４７】
前記電力測定を使用して、前記少なくとも１つの照明器具が故障したか否かを判定することをさらに備える、請求項４６に記載の方法。
【請求項４８】
前記システムアドミニストレータデバイスによって送信される前記命令が、前記パーソナルコントローラとは独立して送信される、請求項３２から４７のいずれか一項に記載の方法。
【請求項４９】
前記システムアドミニストレータデバイスによって送信される前記命令が、複数の前記照明モジュールへ同時に送信される、請求項３２から４８のいずれか一項に記載の方法。
【請求項５０】
前記システムアドミニストレータデバイスによって送信される前記命令が、複数の前記照明モジュールのうちの、選択された個別の照明モジュールへ送信される、請求項３２から４８のいずれか一項に記載の方法。
【請求項５１】
送電線通信チャネルと、前記システムアドミニストレータデバイスによって動作可能なワイヤレス通信チャネルとのうち、どちらの通信チャネルが、前記システムアドミニストレータデバイスと前記少なくとも１つの照明モジュールとの間の通信のためによりロバストであるかを判定することをさらに備える、請求項３２から５０のいずれか一項に記載の方法。
【発明の詳細な説明】
【技術分野】
【０００１】
[0001]  本発明は、ワイヤレスピアツーピア通信リンクおよび／またはワイヤレスローカルエリアネットワークを介して、パーソナルコントローラとして動作するために、標準的なスマートフォン、タブレット、または類似のアイテムを使用して、家庭および商用利用において、照明をオーサリングおよび制御するためのシステムおよび方法に関する。
【背景技術】
【０００２】
[0002]  照明は、家庭および商用のビルの共通の部分である。いくつかの建物は、スケジューリング、減光、および色混合のようなパラメータのプログラミングをサポートする複雑な照明自動システムを有する。これらは典型的には、ボタン、スイッチ、または遠隔コントローラの組合せによって、オープンなまたは所有権のあるプロトコルを使用する多くのワイヤレスおよびハードワイヤ技術によって動作する。ビルの建設中に照明自動システムを指定することは比較的容易であるが、レガシーシステムは、典型的に高価であり、相当な追加の配線を含み、最新の発光ダイオード（ＬＥＴ）照明器具との互換性がないことがあり得る。反対に、建物は、標準的なハードワイヤ照明スイッチのみを使用して、絶対的に裸の最小の照明制御で建築され得る。この事例では、照明制御または自動化の任意の追加の形式を導入する能力は、ビル建設およびインフラストラクチャによって厳しく制限され得、任意の新たな能力を追加することを不可能または高価なものにする。
【発明の概要】
【発明が解決しようとする課題】
【０００３】
[0003]  近年、スマートフォンの普及は、大衆の手の中に、強力なコンピューティングデバイスを設置した。これらのデバイスは、ワイヤレス制御命令を生成し送信し得る一方、それらの一般的なワイヤレスシステムは、家庭または商用の照明において現在使用されている規格との互換性がないので、これらデバイスは、本来、データまたは制御命令を交換するために、これらワイヤレスデバイスと通信することができない。
【課題を解決するための手段】
【０００４】
[0004]  １つの好適な実施形態では、本開示は３つの部分、すなわち、適応可能なワイヤレスおよび送電線通信能力を有するシステムアドミニストレータと、ランプ、照明器具、または照明素子へ供給される電力を変化させ、送電線通信を介してシステムアドミニストレータと命令を交換するように適応された照明モジュールと、システムアドミニストレータとワイヤレスで通信することができるバッテリ駆動型パーソナルコントローラと、を含む。
【０００５】
[0005]  システムアドミニストレータは、好適には、Ｗｉ−Ｆｉ  Ｄｉｒｅｃｔ技術および／またはネットワークＷｉ−Ｆｉ技術を個別に、または、同時にの何れかで使用する、適応可能なＷｉ−Ｆｉ  ＤｉｒｅｃｔおよびネットワークＷｉ−Ｆｉデバイスとして、およびオプションとして、Ｂｌｕｅｔｏｏｔｈ  ＳＩＧクラス２．１  ＋ＥＤＲ、または、Ｂｌｕｅｔｏｏｔｈ  Ｌｏｗ  Ｅｎｅｒｇｙ、Ｂｌｕｅｔｏｏｔｈ  ４．Ｘ、およびたとえばＣＳＲＭｅｓｈのような追加のプロトコルを含むその後の技術を使用するＢｌｕｅｔｏｏｔｈ（登録商標）デバイスとして、ワイヤレスに動作するように構成される。本明細書で使用されるように、「ネットワークＷｉ−Ｆｉ」は、Ｗｉ−Ｆｉ  Ａｌｌｉａｎｃｅ定義を、任意の修正、拡張、または営利実施を含む任意の「電気電子学会（ＩＥＥＥ）８０２．１１規格に基づくワイヤレスローカルエリアネットワーク（ＷＬＡＮ）製品」として称する。本明細書において使用されるように、「Ｗｉ−Ｆｉ  Ｄｉｒｅｃｔ」という用語は、Ｗｉ−Ｆｉ  Ａｌｌｉａｎｃｅ  Ｗｉ−Ｆｉ  Ｄｉｒｅｃｔ仕様および修正、拡張、または、Ｗｉ−Ｆｉピアツーピア技術の任意の営利実施をサポートするように構成されたデバイスを称する。
【０００６】
[0006]  Ｗｉ−Ｆｉ  ＤｉｒｅｃｔおよびＢｌｕｅｔｏｏｔｈは、ピアツーピア対応可能な通信技術である。システムアドミニストレータに組み込まれ得るピアツーピア通信方法および制御態様は、２０１１年１２月２９日に出願され、「Ｗｉｒｅｌｅｓｓ  Ｐｏｗｅｒ，  Ｌｉｇｈｔ  ａｎｄ  Ａｕｔｏｍａｔｉｏｎ  Ｃｏｎｔｒｏｌ」と題された、ＰＣＴ出願番号第ＰＣＴ／ＡＵ２０１１／００１６６６号により詳細に記述されている。その開示の全体は、本明細書において、参照によって組み込まれる。ネットワークＷｉ−Ｆｉは、デバイスがＷＬＡＮを介して通信することを可能にする通信技術である。システムアドミニストレータへ組み込まれ得る適応可能なネットワーク、ピアツーピア通信方法およびシステム属性は、２０１３年１０月２９日に出願され、「Ａｄａｐｔａｂｌｅ  Ｍｕｌｔｉ−Ｍｏｄｅ  Ｗｉｒｅｌｅｓｓ  Ｐｏｗｅｒ，  Ｌｉｇｈｔ  ａｎｄ  Ａｕｔｏｍａｔｉｏｎ」と題された豪州仮出願番号第２０１３９０４１８０号と、２０１２年８月１５日に出願され、「Ａｄａｐｔａｂｌｅ  Ｗｉｒｅｌｅｓｓ  Ｐｏｗｅｒ，  Ｌｉｇｈｔ  ａｎｄ  Ａｕｔｏｍａｔｉｏｎ  Ｓｙｓｔｅｍ」と題されたＰＣＴ出願番号第ＰＣＴ／ＡＵ２０１２／０００９５９号とに、より詳細に記述されており、これらの開示の全体は、参照によって本明細書に組み込まれる。
【０００７】
[0007]  システムアドミニストレータは好適には、主レベル電力を受け取り、照明モジュールとデータを交換するために構造内の主電力配線を使用するように設計された物理的なインターフェースを含む。システムアドミニストレータおよび照明モジュールは好適には、送電線通信によって通信し、変調されたキャリア信号を、主電力配線へ電圧を加えるために必要なハードウェアおよび能力を含む。サポートされている送電線通信は、主電力配線を使用してシステムアドミニストレータと照明モジュールとの間の通信を容易にする任意のプロトコル、規格、または仕様により得る。１つの好適な実施形態では、送電線通信は、任意の修正、拡張、レビジョン、または営利実施を含む任意のＨｏｍｅＰｌｕｇ  Ｐｏｗｅｒｌｉｎｅ  Ａｐｐｌｉａｎｃｅ Ｈｏｍｅｐｌｕｇ規格または仕様、ＩＥＥＥ  １９０１、１９０１．１、および／または、１９０１．２規格または仕様、および／または、ＩＴＵ−ＴのＧ．ｈｎ規格または仕様のうちの１つまたは複数を組み込み得る。他の適切なプロトコル、規格、または仕様は、限定されないが、Ｕｎｉｖｅｒｓａｌ  Ｐｏｗｅｒｌｉｎｅ  Ａｓｓｏｃｉａｔｉｏｎ、ＳｉＣｏｎｎｅｃｔ、ＨＤ−ＰＬＣ  Ａｌｌｉａｎｃｅ、ＸｓｉｌｏｎおよびＰｏｗｅｒｌｉｎｇ  Ｉｎｔｅｌｌｉｇｅｎｔ  Ｍｅｔｅｒｉｎｇ  Ｅｖｏｌｕｔｉｏｎ  Ａｌｌｉａｎｃｅからのものを含み得る。システムアドミニストレータへ組み込まれ得る送電線通信、制御方法、およびシステム属性は、２０１３年１０月８日に出願され、「Ｗｉｒｅｌｅｓｓ  Ｐｏｗｅｒ  Ｃｏｎｔｒｏｌ  ａｎｄ  Ｍｅｔｒｉｃｓ」と題されたＰＣＴ出願番号第ＰＣＴ／ＡＵ２０１３／００１１５７に、より詳細に記述されており、その開示の全体は、参照によって本明細書に組み込まれる。
【０００８】
[0008]  １つの好適な実施形態では、送電線通信に加えて、システムアドミニストレータは、好適には、任意の修正、拡張、改訂、または営利実施を含む、ＺｉｇＢｅｅ  Ａｌｌｉａｎｃｅによって公表された任意のＺｉｇＢｅｅアプリケーションプロファイル、プロトコル、規格または仕様、ＷＩ−ＳＵＮ  Ａｌｌｉａｎｃｅによって公表された任意のプロトコル、仕様、または規格、限定されないがＩＥＥＥ  ８０２．１５．４を含むＩＥＥＥ  ８０２．１５に基づく任意のプロトコル、仕様、または規格、任意のＺ−Ｗａｖｅプロトコル、仕様、または規格、Ｔｈｒｅａｄ  Ｇｒｏｕｐ  Ａｌｌｉａｎｃｅによって公表された任意のＴｈｒｅａｄプロトコル、仕様、または規格、および／または、ＡＮＴ＋を含むＡＮＴに基づく任意のプロトコル、仕様、または規格を含む、適切なパーソナルエリアネットワーク（ＰＡＮ）またはホームエリアネットワーク（ＨＡＮ）の、ワイヤレス技術、プロトコル、仕様、アプリケーションプロファイル、または規格の任意の組合せによって、照明モジュールとのワイヤレス通信をサポートするために必要なハードウェアを含み得る。別に言及されていないのであれば、ワイヤレスローカルネットワーク通信能力は、ＺｉｇＢｅｅの観点から記述されるであろうが、本開示は、そのように限定されない。システムアドミニストレータに組み込まれ得るＺｉｇＢｅｅ方法およびシステム属性は、２０１３年３月１５日に出願された米国出願番号第６１／７８６，５１９号に、より詳細に記述されており、その開示の全体は、参照によって本明細書に組み込まれる。
【０００９】
[0009]  １つの好適な実施形態では、システムアドミニストレータは、より広いエネルギー管理システムの一部を形成し得る。その方法およびシステム属性は、２０１３年１０月８日に出願されたＰＣＴ出願番号第ＰＣＴ／ＡＵ２０１３／００１１５７号に、より詳細に記述されている。
【００１０】
[0010]  システムアドミニストレータは、照明モジュールを収納し、照明モジュールが、照明制御モジュールを、送電線通信またはワイヤレスＺｉｇＢｅｅネットワークへオーサリングする目的のためにその制御および通信システムを動作させるために必要な電力を供給するように設計された物理的な電力コネクタを含み得る。
【００１１】
[0011]  パーソナルコントローラは好適には、少なくともネットワークＷｉ−Ｆｉをサポートし、Ｗｉ−Ｆｉ  Ｄｉｒｅｃｔおよび／またはＢｌｕｅｔｏｏｔｈおよび／またはＮｅａｒ  Ｆｉｅｌｄ  Ｃｏｍｍｕｎｉｃａｔｉｏｎｓ（ＮＦＣ）をもサポートし得る市販のモバイルコンピューティングデバイスである。別に言及されていないのであれば、パーソナルコントローラは、スマートフォンの観点から記述されるであろうが、本開示はそのように限定されない。例のみのために、パーソナルコントローラは、任意のポータブルデバイスであり得る。これは、他の手段によって、アプリケーションプログラム（Ａｐｐ）をダウンロードまたはインストールし得、要求された機能を実行するために、Ａｐｐを制御するためにユーザがインタラクトし得る適切なインターフェースを有し得、システムアドミニストレータとの通信を確立するためのワイヤレス通信能力を有し得る。パーソナルコントローラの例は、スマートフォン、タブレット、ラップトップ、ウルトラブック、スマートウォッチ、およびノートブックパーソナルコンピュータを含む。
【００１２】
[0012]  照明モジュールは好適には、ランプ、照明器具、または照明素子へ提供される電力を変化させる目的のために、主レベルまたは低電圧電力を受け取るように構成される。照明モジュールは好適には、システムアドミニストレータとデータを交換し、システムアドミニストレータからの命令を実行する目的のために、システムアドミニストレータおよび他の照明モジュールとの送電線ネットワークを生成することが可能な送電線通信技術を利用する。照明モジュールは好適には、減光能力を含み、また、所望される場合、個々の光生成素子への電力を操作することによって色混合をもサポートし得る。
【００１３】
[0013]  システムアドミニストレータは好適には、Ｗｉ−Ｆｉ  Ｄｉｒｅｃｔおよび／またはネットワークＷｉ−Ｆｉを使用してスマートフォンとの通信リンクを形成し得る。システムアドミニストレータが、ＷＬＡＮアクセスポイントへ接続された場合、同じＷＬＡＮアクセスポイントへ接続されたＷｉ−Ｆｉ能力を有する何れのスマートフォンもまた、システムアドミニストレータと通信するために適切なＡｐｐを使用し得ることが認識され得る。すなわち、ユーザは、自分のスマートフォンへ命令を入力し得、命令をＷＬＡＮアクセスポイントを介してシステムアドミニストレータへ送信し得る。このケースでは、スマートフォンは、ＷＬＡＮアクセスポイントの近傍に存在し得るか、または、スマートフォンは、離れた場所に存在し得、ＷＬＡＮアクセスポイントがそのように構成されているインターネットを介してＷＬＡＮアクセスポイントと通信し得る。
【００１４】
[0014]  Ｗｉ−Ｆｉ  Ｄｉｒｅｃｔモードで動作するシステムアドミニストレータは、ＷＬＡＮアクセスポイントの要件無しで、スマートフォンとピアツーピアで通信し得ることが認識され得る。このケースでは、システムアドミニストレータは好適には、Ｗｉ−Ｆｉアクセスポイントを模擬するか、または、スマートフォンが、通信するためにＷｉ−Ｆｉ  Ｄｉｒｅｃｔを使用していないのであれば、ソフトウェアアクセスポイント（ＳｏｆｔＡＰ）として動作するか、または、スマートフォンが、通信するためにＷｉ−Ｆｉ  Ｄｉｒｅｃｔを使用しているのであれば、システムアドミニストレータおよびスマートフォンは好適には、どのデバイスがＷｉ−Ｆｉ  Ｄｉｒｅｃｔグループ所有者の役割を引き受け、ピアツーピア接続を確立するのかをネゴシエートし得る。ピアツーピア接続が確立されると、ユーザは、その他の何れの仲介またはネットワークのための必要無しで、スマートフォンと、選択されたシステムアドミニストレータとの間でデータをダイレクトに交換することができる。
【００１５】
[0015]  １つの好適な実施形態における本開示は、ネットワークＷｉ−ＦｉとピアツーピアＷｉ−Ｆｉ接続との両方、または、個別にまたは同時の何れかで接続を提供する集積回路、構成要素、メモリ、マイクロプロセッサ、アンテナ、無線機、トランシーバ、およびコントローラ任意の組合せおよび任意の数から導出されるワイヤレス通信能力を有するシステムアドミニストレータを提供する。いくつかの好適な実施形態では、システムアドミニストレータはまた好適には、ワイヤレスＢｌｕｅｔｏｏｔｈ接続をサポートするために、集積回路、構成要素、コントローラ、トランシーバ、無線機、メモリ、マイクロプロセッサ、およびアンテナの任意の組合せおよび任意の数を含み得る。いくつかの好適な実施形態では、システムアドミニストレータは好適には、ＺｉｇＢｅｅ、Ｚ−ｗａｖｅ、ＡＮＴ、Ｔｈｒｅａｄ、または代替ワイヤレスネットワーク通信プロトコル、仕様、または規格のうちの１つまたは複数を利用するワイヤレスＰＡＮまたはＨＡＮをサポートするために、集積回路、構成要素、コントローラ、トランシーバ、無線機、メモリ、マイクロプロセッサ、およびアンテナの任意の組合せを含み得る。いくつかの好適な実施形態では、システムアドミニストレータは好適には、例のみによって、２．４ＧＨｚのキャリア周波数および選択された１ＧＨｚ以下の周波数において同時にまたは選択的に動作するＺｉｇＢｅｅ、または、２．４ＧＨｚおよび５ＧＨｚのキャリア周波数で同時にまたは選択的に動作するＷｉ−Ｆｉのような、１つよりも多くのキャリア周波数におけるワイヤレスプロトコル、仕様、または規格の通信をサポートするために、集積回路、構成要素、コントローラ、トランシーバ、無線機、メモリ、マイクロプロセッサ、およびアンテナの任意の組合せを含み得る。
【００１６】
[0016]  コストおよび望ましい結果に依存して、システムアドミニストレータのワイヤレス通信能力は、個別に、集合的に、またはシステムインパッケージ（ＳｉＰ）として、または、システムオンチップ（ＳｏＣ）としての何れである、ディスクリートな無線機、アンテナ、マイクロプロセッサ、トランシーバ、構成要素、集積回路、および、コントローラの任意の数および組合せと、異なる規格の多くのディスクリートなトランシーバおよびコントローラの機能をＳｉＰまたはＳｏＣとして集めた組合せまたは「コンボ」チップとを使用することによって、または、コンボチップ、ＳｉＰ、ＳｏＣ、および／または、ディスクリートな構成要素、集積回路、無線機、アンテナ、トランシーバ、マイクロプロセッサ、およびコントローラの組合せを使用することによって達成され得る。システムアドミニストレータは、単数または複数のワイヤレス帯域、物理チャネル、仮想チャネル、モードまたは他の共存技術およびアルゴリズムを利用し得る。これらの方法はすでに、当業者に知られており、本明細書では説明されない。選択されたハードウェア構成要素に依存して、システムアドミニストレータはまた、外部スプリッタの必要性を排除するために、または、必要とされるアンテナの数を低減するために、共有されるアンテナサポートと、共有される信号受信経路とを含み得る。
【００１７】
[0017]  １つの好適な実施形態における本開示は、第１のモードでは、ピアツーピア通信を提供し、第２のモードでは、ユーザによって、ネットワークＷｉＦｉデバイスとして動作し、クライアントとしてＷＬＡＮへ接続するように構成され得る、適応可能なワイヤレス通信を備えたシステムアドミニストレータを提供する。
【００１８】
[0018]  システムアドミニストレータは好適には、そのワイヤレス通信を、最初にピアツーピアモードで機能するように設定し、その最終的な設定に関わらず、好適にはＷｉ−Ｆｉ  Ｄｉｒｅｃｔを利用する。Ｗｉ−Ｆｉ  Ｄｉｒｅｃｔは、ピアツーピア接続を提供するので、システムアドミニストレータへ電力が印加されるや否や、それは、少なくともネットワークＷｉＦｉを用いて通信するスマートフォンによって認識され、ワイヤレス通信リンクが確立され得る。スマートフォンＡｐｐは好適には、どんな運用上の態様をも設定し、システムアドミニストレータの機能的な能力を制御するために使用される。ワイヤレス通信リンクが確立されると、ユーザは、好適にはスマートフォンとシステムアドミニストレータとの間のデータ経路を使用するスマートフォンＡｐｐを起動することができる。スマートフォンＡｐｐを使用することによって、ユーザは、システムアドミニストレータがピアツーピアモードで実行し続けるか、ネットワークＷｉ−Ｆｉモードへ変更するか、または、サポートされている場合、両方のモードを同時に実行するのかを選択し、ネットワークＷｉ−Ｆｉまたはピアツーピアデバイスのために必要な任意の動作パラメータを用いてシステムアドミニストレータを設定し、デバイスに命名し、暗号鍵を設定し、パスワードと、必要なまたは望ましいその他任意の要件とを入力し得る。この手順が完了した場合、ユーザは、システムアドミニストレータに対して「再起動する」ように命令し得る。この時、設定プロセス中に指定されたパラメータに従って自身を設定するであろう。
【００１９】
[0019]  ユーザが、好適にはＷｉ−Ｆｉ  Ｄｉｒｅｃｔを利用して、システムアドミニストレータがピアツーピアモードで動作するように選択したのであれば、再起動後に、そうし続けるであろう。システムアドミニストレータは、ダイレクトな、または、ピアツーピア通信リンクを確立する前に、その接続要件と完全に準拠し得るスマートフォンへ接続するだけであろう。これは、Ｗｉ−Ｆｉ保護アクセスまたはＷｉＦｉ保護アクセス２のようなＷｉ−Ｆｉ  Ｄｉｒｅｃｔの本来のセキュリティ対策に加えたセキュリティ対策を含み得る。
【００２０】
[0020]  ユーザが、ネットワークＷｉ−Ｆｉモードで動作するために、システムアドミニストレータを選択したのであれば、スマートフォンＡｐｐは、システムアドミニストレータがＷＬＡＮへ接続するために必要なパラメータを設定するであろう。システムアドミニストレータは、再起動した場合、ＷＬＡＮ上のクライアントデバイスとして接続するであろう。同じＷＬＡＮへも接続されているデバイスへアクセス可能であることが好適となるであろう。システムアドミニストレータのピアツーピアワイヤレスモードは、好適には、システムアドミニストレータがクライアントとしてＷＬＡＮへ接続するために必要なパラメータを設定するために使用される。
【００２１】
[0021]  何れかのモードにおいて、スマートフォンＡｐｐは、好適には、システムアドミニストレータの機能的な能力を制御するために使用される。ネットワークＷｉ−Ｆｉモードでは、スマートフォンＡｐｐは、選択されたシステムアドミニストレータと、ＷＬＡＮアクセスポイントを介して通信する。好適にはＷｉ−Ｆｉ  Ｄｉｒｅｃｔを利用するピアツーピアモードでは、スマートフォンＡｐｐは、選択されたシステムアドミニストレータと、マシンツーマシンでダイレクトに通信する。
【００２２】
[0022]  システムアドミニストレータが、ピアツーピアモードとネットワークＷｉ−Ｆｉモードとの両方で同時に動作するようにユーザが選択すると、システムアドミニストレータが再起動した場合、それは、ＷＬＡＮにおいてクライアントデバイスとして見え、利用可能である各モードの機能に関するＷｉ−Ｆｉ  Ｄｉｒｅｃｔアクセスポイント／グループとして見えるであろう。そのようにして、かつ例のみとして、システムアドミニストレータは、同時のＷＬＡＮ接続へのアクセスを許可することなく、サードパーティが、Ｗｉ−Ｆｉ  Ｄｉｒｅｃｔ接続を介して機能を制御することを許可し、従って、他のＷＬＡＮデバイスへのアクセスを阻止する。
【００２３】
[0023]  １つの好適な実施形態では、スマートフォンとシステムアドミニストレータとの間のＢｌｕｅｔｏｏｔｈピアツーピア接続は、ネットワークＷｉ−Ｆｉデバイスおよび／またはＷｉ−Ｆｉ  Ｄｉｒｅｃｔアクセスポイント／グループ参加者および／またはピアツーピアＷｉ−Ｆｉデバイスとしてシステムアドミニストレータの設定のための情報を入力するために、または、ネットワークＷｉ−Ｆｉおよび／またはＷｉ−Ｆｉ  Ｄｉｒｅｃｔおよび／またはピアツーピアＷｉ−Ｆｉ接続の確立を容易にするために、使用され得る。別の好適な実施形態では、システムアドミニストレータとスマートフォンとの間のＢｌｕｅｔｏｏｔｈ接続は、データを交換するためのピアツーピア通信チャネルとして使用され得る。
【００２４】
[0024]  ワイヤレス通信リンクがシステムアドミニストレータとスマートフォンとの間で確立されると、ユーザは、送電線通信ネットワークを連結し、システムアドミニストレータが送電線通信ネットワークを調整するための何れかの要件を設定するか、または、送電線通信ネットワーク上へデバイスをオーサリングするために、スマートフォンとシステムアドミニストレータとの間のデータ経路を好適に使用するＡｐｐを起動することが可能である。システムアドミニストレータの動作態様を設定することに加えて、スマートフォンＡｐｐはまた好適には、送電線通信ネットワークの一部を形成する照明モジュールの様々な自動化およびインタラクティブ機能を制御およびプログラムするために使用され得る。１つの好適な実施形態では、これは、時間パラメータに基づいて、照明イベントの特定のスケジューリングを設定するための能力を含むであろう。別の好適な実施形態では、これは、スマートフォンスクリーンに表示されたグラフィック近似から色色相を指定することを含み得る。別の好適な実施形態では、これは、システムアドミニストレータがその一部であるワイヤレスネットワークまたは送電線ネットワークへ接続されたセンサから決定されたトリガイベントに関する特定の応答を設定する能力を含み得る。
【００２５】
[0025]  システムアドミニストレータは、機械的なスイッチ、ボタン、容量性／近接タッチセンサのような露出されたヒューマンインターフェースを有し得る。照明モジュールは、機械的なスイッチ、ボタン、または容量性／近接タッチエリアのような露出されたヒューマンインターフェースを有し得る。１つの好適な実施形態では、何れのデバイス上にも露出されたヒューマンインターフェースを有さないことが望ましい場合がある。
【００２６】
[0026]  １つの好適な態様における本開示は、ワイヤレスピアツーピア通信リンクおよび／またはワイヤレスローカルエリアネットワーク接続を介してシステムアドミニストレータと通信しているパーソナルコントローラとして動作する標準的なスマートフォン、タブレット、または類似のアイテムによって、送電線通信ネットワークを介して制御され得る照明モジュールによって、家庭または商用の設定における、ランプ、照明器具、または照明素子へ供給される電力を制御するためのシステムを提供する。
【００２７】
[0027]  別の好適な態様における本開示は、パーソナルコントローラを用いて、ワイヤレス通信リンクを介して、住宅または商用地における照明を制御するためのシステムを提供する。パーソナルコントローラは、プロセッサ、ユーザインターフェース、およびワイヤレス通信トランシーバを有する。システムは、少なくとも１つの照明モジュールを含む。照明モジュールは、マイクロコントローラ、送電線通信コントローラ、および、送電線通信コントローラに動作可能に接続された送電線接続を含み、照明モジュールは、照明モジュールに接続された照明への電力を変化させるように構成され得る。このシステムはまた、マイクロコントローラを含むシステムアドミニストレータデバイスと、パーソナルコントローラとのワイヤレス通信のために動作可能なワイヤレス通信モジュールと、照明モジュールの送電線通信コントローラとの送電線通信のために構成されたローカル通信モジュールとを含む。ワイヤレス通信モジュールは、ピアツーピア通信リンクを使用して、パーソナルコントローラと通信するように構成された回路を含む。
【００２８】
[0028]  さらに好適な態様における本開示は、パーソナルコントローラを用いて、住宅または商業地において、照明を制御するための方法を提供する。この方法は、照明位置における少なくとも１つの指定された照明への電力を変化させるために、パーソナルコントローラからの命令を、照明位置またはその近傍におけるシステムアドミニストレータデバイスにおいて受信する工程であって、この命令は、ワイヤレス通信規格を使用して、システムアドミニストレータデバイスによって受信される、受信する工程と、指定された照明への電力を変化させるために、指定された照明に接続された少なくとも１つの照明モジュールへ、システムアドミニストレータデバイスを用いて命令を送信する工程であって、この命令は、送電線通信規格を使用して、システムアドミニストレータデバイスによって送信される、送信する工程と、システムアドミニストレータデバイスから受信された命令に従って、照明モジュールを用いて、指定された照明への電力を変化させる工程と、を含む。
【００２９】
[0029]  本明細書で出願されたような特許請求の範囲は、本記述においてその全体が参照によって組み込まれることが理解されるであろう。
【図面の簡単な説明】
【００３０】
【図１】[0030]本開示の１つの好適な実施形態に従うスマートフォンの斜視図である。
【図２】[0031]システムアドミニストレータの機能要素のブロック図である。
【図３】[0032]照明モジュールの機能要素のブロック図である。
【図４】[0033]図１のスマートフォンのシステム図表現と、図２のシステムアドミニストレータおよび図３の照明モジュールとのインタラクションである。
【図５】[0034]本開示の１つの好適な実施形態に従って、図４のＷｉ−Ｆｉ  ＷＬＡＮにおけるクライアントデバイスとして、図２のシステムアドミニストレータを設定するために、図１のスマートフォンを利用する典型的な設定手順のフロー図である。
【発明を実施するための形態】
【００３１】
[0035]  本開示の代替実施形態は、本明細書に開示された仕様を考慮して、当業者に明らかになるであろう。明細書および例は、典型的のみであるとして考慮され、本発明の真のスコープおよび精神は、以下の特許請求の範囲によって示されることが意図される。「備えている」という用語は、広く、オープンな意味を有することが意図されており、特定の実施形態に限定されないことが理解されるであろう。
【００３２】
[0036]  図１乃至図４を参照して示すように、システム１００は好適には、ここでは「Ｐｒｏｄｕｃｔ  Ａｐｐ」と称されるアプリケーションプログラム、パーソナルコントローラ１０、システムアドミニストレータ２００、および１つまたは複数の照明モジュール３００を含む。必要な場合、Ｐｒｏｄｕｃｔ  Ａｐｐは常に、１つまたは複数のプロセッサと組み合わされて使用され、ホストされたところで、そうでなければ汎用プロセッサであり得るものを、Ｐｒｏｄｕｃｔ  Ａｐｐの機能およびパラメータに従って、専用目的プロセッサへ設定することが理解されるであろう。Ｐｒｏｄｕｃｔ  Ａｐｐは、システムアドミニストレータのマイクロプロセッサ内の、遠隔のオフサイトプロセッサ内の、または、デバイスまたはシステム間で共有された、スマートフォンのようなモバイル通信デバイスのプロセッサのような非一時的な媒体に存在し得る。好適には、Ｐｒｏｄｕｃｔ  Ａｐｐは、スマートフォン１０へダウンロードされ、システムアドミニストレータ２００の制御、設定、プログラミング、および／または、問合せのための、ならびにシステムアドミニストレータ２００を介して、１つまたは複数の関連付けられた照明モジュール３００の制御、設定、プログラミング、および／または、問合せのためのヒューマンインターフェースとして動作する。
【００３３】
[0037]  各照明モジュール３００は、好適には、関連付けられたライト、ランプ、照明器具、および／または、照明素子３１４（図３）への電力を変化させるために適応される。図４を参照して示すように、システム１００は好適には、スマートフォン１０、システムアドミニストレータ２００、および少なくとも１つの照明モジュール３００の間でのデータおよび命令の交換を容易にするために、組み合わされたワイヤレス通信および送電線通信を利用する。システムアドミニストレータ２００とスマートフォン１０との間の通信は、好適には、ネットワークＷＬＡＮまたはワイヤレスピアツーピア接続を利用する。システムアドミニストレータ２００と照明モジュール３００との間の通信は、好適には、送電線通信プロトコルによって送電線通信（ＰＬＣ）を使用する。システムアドミニストレータ２００は、好適には、照明モジュール３００とデータを交換するために使用された同じ主送電線からその動作電力を引き出す。Ｐｒｏｄｕｃｔ  Ａｐｐ、スマートフォン１０、アクセスアドミニストレータ２００、および照明モジュール３００のインタラクションは、以下により詳細に記述されるであろう。
【００３４】
[0038]  システムアドミニストレータ２００のマルチモード通信能力は、多くの設定可能な通信トポロジを可能にする。例として、システムアドミニストレータ２００が、ネットワークＷＬＡＮおよびピアツーピア接続を同時に動作させる場合、システムアドミニストレータ２００は、同時のＷＬＡＮ接続へのアクセスを許可することなく、サードパーティが、ピアツーピア接続を介して機能を制御することを許可し、従って、他のＷＬＡＮデバイスへのアクセスを阻止する。あるいは、システムアドミニストレータは、システムの実際の制御を、ピアツーピア接続に制限しながら、ネットワークＷＬＡＮ接続を介したインターネットによるシステムの遠隔モニタリングまたはデータ交換を可能にし得る。
【００３５】
[0039]  図１は、以下にさらに詳細に記述されるように、システムアドミニストレータと通信するためにワイヤレスリンクを使用するスマートフォン１０の斜視図である。スマートフォン１０は、好適には、市販の従来式のスマートフォンである。スマートフォンが好適には含んでいる基本機能のうちのいくつかは、タッチ感知式グラフィックスクリーンインターフェース１２と、互換性を持つ無線トランシーバと、個別のスマートフォンオペレーティングシステムに特有のＰｒｏｄｕｃｔ  Ａｐｐを実行するための能力と、である。後続する例では、当業者であれば、特定のコーディングに関する議論の必要性なく、記述された実施形態の機能を理解および再生をすることができるであろうから、Ｐｒｏｄｕｃｔ  Ａｐｐのための特有のコーディングは、簡略のために省略されている。
【００３６】
[0040]  スマートフォン１０は好適には、少なくともネットワークＷｉ−Ｆｉを介して通信するための技術を含むワイヤレス通信技術の範囲にわたって動作するように構成される。スマートフォン１０は、Ｗｉ−Ｆｉ  Ｄｉｒｅｃｔおよび／またはＢｌｕｅｔｏｏｔｈおよび／またはＮＦＣに関する追加の能力を含み得る。本開示の好適な実施形態は、そのコントローラとしてのスマートフォン、特に、少なくともネットワークＷｉ−Ｆｉを組み込んだスマートフォンを使用するが、他のワイヤレス通信方法およびシステムは、直面する特有の要件に依存して使用されるであろう。
【００３７】
[0041]  図２を参照して示すように、システムアドミニストレータ２００は、本開示の好適な実施形態に従って図示される。システムアドミニストレータ２００は、好適には、ワイヤレス通信モジュール２０２、永久クロックカレンダ２０４、ローカルネットワーク通信モジュール２０６、埋め込まれたメモリを備えたシステムマイクロコントローラ２０８、アンテナ２１０、システム電源２１２、送電線カプラ２１４、および送電線接続２１６を含む物理デバイスである。ローカルネットワーク通信モジュール２０６は、ワイヤレス通信のためのサポートを含んでいる場合、専用アンテナ２１０ａを含み得る。いくつかの好適な実施形態では、それは、埋め込まれたメモリに加えて、または、その代わりに、外部メモリをサポートするためのシステムマイクロコントローラ２０８のために好適であり得る。いくつかの好適な実施形態では、システムマイクロコントローラ２０８およびローカルネットワーク通信２０６が、完全に統合されること、または、システムマイクロコントローラ２０８およびワイヤレス通信２０２が、完全に統合されることが好適であり得る。ワイヤレス通信２０２は、以下にさらに詳細に記述されるであろうが、システムアドミニストレータが、１つまたは複数の通信プラットフォームを介して、スマートフォン１０および／または他のシステム要素と通信することを許可する回路を含む。
【００３８】
[0042]  永久クロックカレンダ２０４は、好適には、電力が喪失した事例において実時間が正確に維持されることを可能にするバッテリまたは超コンデンサによる電力バックアップを含む。永久クロックカレンダ２０４を含んでいることによって、システムマイクロコントローラ２０８は、命令を自動的に生成し、機能を実行し、または、スケジュール、または、時間および／または日付の関数に基づいてデータを交換することが可能となる。いくつかの好適な実施形態では、永久クロックカレンダ２０４は、システムアドミニストレータ２００が、時間または日付に依存するどの動作も実行しないか、または、送電線またはワイヤレス通信を介して外部ソースからクロックデータを受信する場合に省略され得る。いくつかの好適な実施形態では、永久クロックカレンダ２０４は、システムマイクロコントローラ２０８へ統合され得る。
【００３９】
[0043]  送電線接続２１６は、好適には、ビル内の主電力配線へシステムアドミニストレータ２００を接続するための物理的なインターフェースである。１つの好適な実施形態では、送電線接続２１６は、システムアドミニストレータ２００を主電力汎用コンセントにダイレクトにプラグインすることを可能にするＮＥＭＡ  ５−１５  北米主電力規格との互換性のために構成される。１つの好適な実施形態では、システムアドミニストレータ２００は、パックされた完全に自律的なプラグまたは「壁面アダプタ」の物理的な形態を採り得る。別の好適な実施形態では、システムアドミニストレータ２００は、フライングリードを有し得る。別の好適な実施形態では、送電線接続２１６は、好適には、システムアドミニストレータ２００が、ビルまたは建物の本線、または、車両またはボートの電気系へダイレクトに統合されることを可能にする端子ブロックを組み込み得、壁パネル内、または、壁据付パネルの後ろに構成され得るか、または、汎用電力コンセントまたは照明スイッチへ統合され得る。アクセスアドミニストレータ２００は、本開示のスコープから逸脱することなく、配線、接続、据付、プラグ、およびソケットと、様々な国々およびアプリケーションの電流および電圧要件とに従って、設定され得ることが認識されるであろう。
【００４０】
[0044]  図示されないが、１つの好適な実施形態では、システムアドミニストレータ２００は、照明モジュール３００が、照明モジュールを、システムアドミニストレータ２００の送電線またはワイヤレスネットワークへオーサリングする目的のために、それぞれのマイクロプロセッサおよび通信を実行するために、照明モジュールが、システムアドミニストレータ２００へプラグインし、そのから電力を受け取ることを可能にする照明モジュール３００の送電線接続と互換性のある統合電力レセプタクルを提供する。
【００４１】
[0045]  システムマイクロコントローラ２０８とスマートフォン１０との間の命令および応答は、好適には、ワイヤレス通信２０２およびアンテナ２１０によってサポートされている無線周波数ワイヤレスリンクを介して通信される。ワイヤレス通信２０２は、好適には、集積回路、構成要素、コントローラ、トランシーバ、無線機、メモリ、マイクロプロセッサ、および、任意選択によりＢｌｕｅｔｏｏｔｈをサポートする能力を用いてネットワークＷｉ−ＦｉおよびＷｉ−Ｆｉピアツーピア接続を個別にまたは同時に提供するアンテナの、任意の数および組合せを含む。ワイヤレス通信の例は、２０１２年８月１５日に出願されたＰＣＴ出願番号第ＰＣＴ／ＡＵ２０１２／０００９５９号に記述されている。コストおよび所望の動作機能に依存して、ワイヤレス通信２０２は、Ｗｉ−Ｆｉ無線機、Ｗｉ−Ｆｉ無線機の組合せ、または、Ｗｉ−Ｆｉ無線機、ワイヤレス無線機、およびＢｌｕｅｔｏｏｔｈ無線機の組合せ、を含み得る。ワイヤレス通信能力は、個別に、集合的に、またはシステムインパッケージ（ＳｉＰ）として、または、システムオンチップ（ＳｏＣ）としての何れかである、無線機、アンテナ、トランシーバ、マイクロプロセッサ、構成要素、集積回路、および、コントローラの任意の数および組合せと、異なる規格の多くのトランシーバおよびコントローラの機能をＳｉＰまたはＳｏＣとして集めた組合せまたは「コンボ」チップを使用することによって、または、コンボチップ、ＳｉＰ、ＳｏＣ、および／または、ディスクリートな集積回路、無線機、アンテナ、トランシーバ、マイクロプロセッサ、メモリ、構成要素、およびコントローラの任意の組合せを使用することによって、達成され得る。ワイヤレス通信は、単一または多数のワイヤレス帯域、物理チャネル、仮想チャネル、モードまたは他の共存技術およびアルゴリズムを利用し得、これらの方法はすでに当業者に知られているので、本明細書では記述されない。選択されたハードウェア構成要素に依存して、ワイヤレス通信２０２はまた、外部スプリッタの必要性を排除するために、または、必要とされるアンテナの数を低減するために、共有されるアンテナサポートと、共有される信号受信経路とを含み得る。所望される場合、共有アンテナサポートが実現可能ではないときには、さらなるアンテナが追加され得る。１つの好適な実施形態では、ワイヤレス通信２０２は、ＺｉｇＢｅｅをサポートするように構成され得る。所望される場合、共有アンテナサポートが実現可能ではないときには、さらなるアンテナが追加され得る。
【００４２】
[0046]  ワイヤレス通信２０２は、ピアツーピアＷｉ−Ｆｉ仕様または規格、好適にはＷｉ−Ｆｉ  Ｄｉｒｅｃｔを使用して動作する場合、任意の中間的なハードウェアに対する必要性無しで、ピアツーピアベースでネットワークＷｉ−ＦｉまたはＷｉ−Ｆｉ  Ｄｉｒｅｃｔをサポートするデバイスと通信し得る。ワイヤレス通信２０２は好適には、Ｗｉ−Ｆｉ  Ｄｉｒｅｃｔ仕様に従って、Ｗｉ−Ｆｉ  Ｄｉｒｅｃｔグループ参加者と、Ｗｉ−Ｆｉ  ＤｉｒｅｃｔアクセスポイントまたはＳｏｆｔＡＰとの両方として動作するように構成され、アクセスアドミニストレータ２００が、ネットワークＷｉ−Ｆｉと通信しているデバイスに対して、Ｗｉ−Ｆｉアクセスポイントとして見えることを可能にする。ＳｏｆｔＡＰによって、ワイヤレス通信２０２は、ネットワークＷｉ−Ｆｉデバイスが、Ｗｉ−Ｆｉ  Ｄｉｒｅｃｔをサポートしなくても、ネットワークＷｉ−Ｆｉデバイスとのピアツーピア通信リンクを確立することができる。この事例では、通信するためにネットワークＷｉ−Ｆｉを使用するデバイスは、デバイス発見メッセージを、あたかもＷｉ−Ｆｉアクセスポイントからのものであるように、システムアドミニストレータ２００から受信し、あたかもＷｉ−Ｆｉアクセスポイントに接続していたかのように、システムアドミニストレータとのピアツーピア通信リンクを確立することができる。Ｗｉ−Ｆｉ  ＤｉｒｅｃｔデバイスとネットワークＷｉ−Ｆｉデバイスとの間の通信リンクを確立する手順は、Ｗｉ−Ｆｉ  Ａｌｌｉａｎｃｅ  Ｗｉ−Ｆｉ  Ｄｉｒｅｃｔ仕様に定義されており、通信システムプロトコルに精通した実施者によって理解されるであろう。
【００４３】
[0047]  Ｗｉ−Ｆｉ  Ｄｉｒｅｃｔは、システムアドミニストレータと、コントローラとして動作するスマートフォンとの間の通信を簡素化する多くの利点を有する。顕著な利点は、移動性および可搬性を含み、スマートフォンおよびシステムアドミニストレータは、単に、ワイヤレス通信リンクを確立するために、互いの無線範囲内にあることしか必要ではない。Ｗｉ−Ｆｉ  Ｄｉｒｅｃｔは、伝送されたメッセージのためのＷｉ−Ｆｉ保護アクセス（ＷＰＡ、ＷＰＡ２）および暗号化のような手段によって安全な通信を提供し、システムが、評価されたデバイスへ安全であり続けることを保証する。最も重要なことには、Ｗｉ−Ｆｉ  Ｄｉｒｅｃｔは、たとえスマートフォンネットワークＷｉ−Ｆｉが、オンデマンドのピアツーピア通信をサポートすることが意図されていない場合であっても、スマートフォンは、ネットワークＷｉ−Ｆｉのみで、システムアドミニストレータとのピアツーピアデータ交換に従事することを可能にする。
【００４４】
[0048]  スマートフォンが進化し続け、新たなモデルが、ネットワークＷｉ−Ｆｉに加えて、Ｗｉ−Ｆｉ  Ｄｉｒｅｃｔサポートを含め始めている。本開示の１つの好適な実施形態では、システムアドミニストレータ２００およびスマートフォン１０が、発見プロセスの一部としてＷｉ−Ｆｉ  Ｄｉｒｅｃｔ意図を交換する場合、スマートフォン１０およびシステムアドミニストレータ２００は、Ｗｉ−Ｆｉ  Ａｌｌｉａｎｃｅ  Ｗｉ−Ｆｉ  Ｄｉｒｅｃｔ仕様に従って、どのデバイスが、グループ所有者の役割を引き受けるのかをネゴシエートし、ピアツーピアＷｉ−Ｆｉ  Ｄｉｒｅｃｔ通信リンクが確立されるであろう。Ｗｉ−Ｆｉ  Ｄｉｒｅｃｔ仕様は、Ｗｉ−Ｆｉ  Ｄｉｒｅｃｔデバイスが、グループ所有者になることを許可し、デバイスの能力に依存して、このネゴシエーション手順は、ほとんどの適切なデバイスが、この役割を実行することを決定する。１つの好適な実施形態におけるシステムアドミニストレータ２００は、好適には、グループ所有者として、Ｗｉ−Ｆｉ  Ｄｉｒｅｃｔ接続を、最高の優先度でネゴシエートするように構成され得る。グループ所有者として動作することによって、システムアドミニストレータ２００は、一般にハブおよびスポーク構成として称されているものにおける多くの同時のピアツーピア接続を維持し得るが、それは、オープンな接続の数を１：１へ限定するために、いくつかの環境において望ましい場合がある。
【００４５】
[0049]  システムマイクロコントローラ２０８は好適には、システムアドミニストレータ２００の動作および機能を定義し、すべてのプログラムコードおよびシステム要素を制御するための責任を引き受けるファームウェアプログラムを組み込んでいる。このファームウェアプログラムは、ワイヤレス通信２０２の動作モードを指定し制御する工程と、永久クロックカレンダ２０４の制御および問合せと、ローカルネットワーク通信２０６の制御および管理と、ワイヤレス通信２０２とローカルネットワーク通信２０６とを介したＰｒｏｄｕｃｔ  Ａｐｐと照明モジュールとの間のデータおよび制御メッセージの交換を容易にする工程と、を含む。システムマイクロコントローラ２０８は、好適には、Ｐｒｏｄｕｃｔ  Ａｐｐから受信した任意のプログラムデータを記憶するための不揮発性メモリを含む。いくつかの好適な実施形態では、不揮発性メモリは、システムマイクロコントローラ２０８への外部にあり得る。いくつかの好適な実施形態では、１つよりも多くのマイクロコントローラが使用され得る。
【００４６】
[0050]  システムアドミニストレータ２００が製造された場合、システムマイクロコントローラ２０８は、好適には、システムアドミニストレータ２００を、ネットワークＷｉ−ＦｉデバイスおよびＷｉ−Ｆｉ  Ｄｉｒｅｃｔアクセスポイント／グループ参加者として動作させるようにファームウェアを保持する。電力が初めてシステムアドミニストレータ２００へ提供された場合、システムマイクロコントローラ２０８は好適には、ワイヤレス通信および制御モジュール２０２を、Ｗｉ−Ｆｉ  Ｄｉｒｅｃｔピアツーピアモードで開始し、ワイヤレス範囲内のスマートフォンによって検出され得る発見メッセージの送信を開始する。
【００４７】
[0051]  Ｗｉ−Ｆｉ  Ｄｉｒｅｃｔアクセスポイント／グループ参加者として動作するシステムアドミニストレータは、Ｗｉ−Ｆｉ  ＷＬＡＮを必要とすることなく、スマートフォンとダイレクトに通信し得ることが認識され得る。システムアドミニストレータ２００は好適には、スマートフォン１０が、通信するためにＷｉ−Ｆｉ  Ｄｉｒｅｃｔを使用していないのであれば、Ｗｉ−Ｆｉアクセスポイントとして見えるか、または、スマートフォン１０が、通信するためにＷｉ−Ｆｉ  Ｄｉｒｅｃｔを使用しているのであれば、どのデバイスがＷｉ−Ｆｉ  Ｄｉｒｅｃｔグループ所有者の役割を引き受けるのかに関してスマートフォン１０とネゴシエートする。ユーザはその後、ピアツーピア通信リンクを確立し、他のどのデバイスを求める必要もなく、選択されたシステムアドミニストレータへダイレクトに命令を送信することができる。
【００４８】
[0052]  １つの好適な実施形態では、ピアツーピアモードにおけるワイヤレス通信２０２は、好適には、Ｗｉ−Ｆｉアクセスポイントを模擬するか、または、Ｗｉ−Ｆｉ  Ｄｉｒｅｃｔに関するサポート無しで、ＳｏｆｔＡＰとして動作するように構成され得る。そのケースでは、スマートフォンは好適には、あたかもＷｉ−Ｆｉアクセスポイントへ接続しているかのように、システムアドミニストレータとのピアツーピア通信リンクを確立するであろうが、たとえスマートフォン１０がＷｉ−Ｆｉ  Ｄｉｒｅｃｔをサポートしていても、Ｗｉ−Ｆｉ  Ｄｉｒｅｃｔ接続を、システムアドミニストレータとネゴシエートできないであろう。
【００４９】
[0053]  システムアドミニストレータを制御するための好適な方法は、関連するＰｒｏｄｕｃｔ  Ａｐｐを介する。Ｐｒｏｄｕｃｔ  Ａｐｐのためのインストール指示は、好適には、システムアドミニストレータと共に含まれる。Ｐｒｏｄｕｃｔ  Ａｐｐは、好適には、従来式のスマートフォンプラットフォームによって共通して利用される同じ集中型アプリケーションストアインストール方法を採用する。
【００５０】
[0054]  Ｐｒｏｄｕｃｔ  Ａｐｐは、システムアドミニストレータに最高の通信リンクをシームレスに提供するワイヤレス要素と無線技術とのあらゆる組合せと通信し得る。Ｐｒｏｄｕｃｔ  Ａｐｐは好適には、システムアドミニストレータとのワイヤレス通信リンクを開始、探索、および確立するために、スマートフォン１０ワイヤレス通信を制御する。Ｐｒｏｄｕｃｔ  Ａｐｐは好適には、スマートフォンタッチスクリーン１２上のグラフィック要素を介して、事前設定された新たなシステムアドミニストレータを表示し得る。
【００５１】
[0055]  Ｐｒｏｄｕｃｔ  Ａｐｐは、起動した場合、好適には、システムアドミニストレータを求めてスキャンし、最初に設定される必要のある任意の新たなシステムアドミニストレータを識別するであろう。この時点において、ワイヤレスピアツーピア接続が、スマートフォンと新たなシステムアドミニストレータとの間で未だに確立されていないのであれば、Ｐｒｏｄｕｃｔ  Ａｐｐは、好適には、ユーザが、所望のシステムアドミニストレータとのワイヤレスピアツーピア接続を確立し、ピアツーピアモードで動作し、Ｗｉ−Ｆｉ  Ｄｉｒｅｃｔアクセスポイント／グループ参加者のみを維持するのか、ネットワークＷｉ−Ｆｉモードで動作し、クライアントとしてＷＬＡＮへ接続し、ネットワークＷｉ−Ｆｉデバイスになるのか、または、ワイヤレス通信２０２によってサポートされている場合、ピアツーピアモードおよびネットワークＷｉ−Ｆｉモードで同時に動作するのかを判定することを可能にする。
【００５２】
[0056]  システムアドミニストレータとのピアツーピアリンクを確立するために、スマートフォンオペレーティングシステムが、Ｐｒｏｄｕｃｔ  Ａｐｐに対して、スマートフォンワイヤレス通信を制御することを許可しない状況では、ユーザは、Ｐｒｏｄｕｃｔ  Ａｐｐを起動する前に、システムアドミニストレータとのピアツーピア通信リンクを確立するために、スマートフォンによって提供された任意のメカニズムを使用し得る。
【００５３】
[0057]  ユーザは、新たなシステムアドミニストレータが、好適には、Ｗｉ−Ｆｉ  Ｄｉｒｅｃｔを利用して、ピアツーピアモードで動作することを望むのであれば、好適には、Ｐｒｏｄｕｃｔ  Ａｐｐにおけるこのオプションを選択する。Ｐｒｏｄｕｃｔ  Ａｐｐは、その後、スマートフォンのタッチスクリーン１２をヒューマンインターフェースとして使用して、一連のデータ入力を介してユーザを先導する。Ｐｒｏｄｕｃｔ  Ａｐｐは、システムマイクロコントローラ２０８と通信し、初期接続のために使用された一般的なパラメータを、システムアドミニストレータをユニークな製品として定義する特有のパラメータと交換する。これらは、システムアドミニストレータとスマートフォンとの間のすべてのデータ移動が保護されるように、ユニークな暗号鍵を設定する工程と、システムアドミニストレータ名を、ユニークな、容易に認識可能な識別子に設定する工程と、スマートフォンとの安全なリンクを確立するために、システムアドミニストレータにパスワードを設定する工程と、を含み得る。
【００５４】
[0058]  Ｐｒｏｄｕｃｔ  Ａｐｐは好適には、設定されたシステムアドミニストレータの将来の識別、および設定されたシステムアドミニストレータへの接続のために、スマートフォンメモリ内に、これら特有のパラメータの記録を保持する。
【００５５】
[0059]  設定手順が完了すると、Ｐｒｏｄｕｃｔ  Ａｐｐは好適には、システムアドミニストレータファームウェアに対して、「再起動」を含み得る再設定をするように命令する。アプリケーションファームウェアが再設定する場合、システムアドミニストレータは、自身のユニークな識別情報を追加および生成するために、ユーザ指定されたデータを使用するであろう。この識別情報を設定するために使用されたスマートフォンは、新たな特有のパラメータが知られているので、そのシステムアドミニストレータへ自動的に接続できるであろう。スマートフォンオペレーティングシステムが許可するのであれば、Ｐｒｏｄｕｃｔ  Ａｐｐはその後、ユーザが、Ｐｒｏｄｕｃｔ  Ａｐｐにおいてその特定のデバイスを選択する毎に、システムアドミニストレータとの通信リンクを好適に自動的に確立するために使用され得る。
【００５６】
[0060]  システムアドミニストレータが設定されると、ユーザが、その特定のシステムアドミニストレータにユニークな特有のパラメータを知っているのであれば、他の任意のスマートフォンのみがそれと接続し得る。第２のスマートフォンが、Ｗｉ−ＦｉアクセスポイントまたはＷｉ−Ｆｉ  Ｄｉｒｅｃｔデバイスを求めて探索するのであれば、第２のスマートフォンは、「安全である」という特徴を有する設定されたシステムアドミニストレータを見るであろう。それに接続するために、ユーザは、そのシステムアドミニストレータへ割り当てられた特有のパスワードを知る必要があるであろうし、知らなければ、通信リンクを確立することができないであろう。パスワードが知られており、要求された場合に、スマートフォンへ入力されたのであれば、第２のスマートフォンとシステムアドミニストレータとの間の通信リンクが確立されるであろう。Ｐｒｏｄｕｃｔ  Ａｐｐは未だに、好適には、システムアドミニストレータを制御するために必要とされ、これは、アプリケーションの性質に依存して、追加のセキュリティ対策を有し得る。
【００５７】
[0061]  新たにインストールされたシステムアドミニストレータを、ピアツーピアモードに設定する代わりに、ユーザが、それをネットワークＷｉ−Ｆｉモードで動作するように選択すると、これは、要求されたオプションとして選択され、Ｐｒｏｄｕｃｔ  Ａｐｐは、システムアドミニストレータがクライアントとして接続するために利用可能な１つまたは複数のＷＬＡＮが存在するか否かを判定する。Ｐｒｏｄｕｃｔ  Ａｐｐは、ユーザに対して、好適なネットワークを確認するように要求し、ユーザに対して、ネットワークパスワードのような任意の必要なネットワークパラメータを確認および／または入力するように求め、システムアドミニストレータは、クライアントとしてＷＬＡＮへ接続することができ得る。
【００５８】
[0062]  Ｐｒｏｄｕｃｔ  Ａｐｐは、スマートフォンを介して、システムマイクロコントローラ２０８と通信し、システムアドミニストレータが、ネットワークＷｉ−Ｆｉデバイスとして自身を確立するために必要とされるパラメータを設定する。これは、ネットワーク上のシステムアドミニストレータをユニークに識別する任意のパラメータを含み得る。適切なパラメータのすべてが知られ、更新されている場合、Ｐｒｏｄｕｃｔ  Ａｐｐは、システムアドミニストレータに対して、ネットワークＷｉ−Ｆｉデバイスとして再起動するように命令する。システムアドミニストレータはその後、クライアントとしてＷＬＡＮへ接続し、ＷＬＡＮアクセスポイントを介してスマートフォンＰｒｏｄｕｃｔ  Ａｐｐによってアクセス可能である。ネットワークＷｉ−Ｆｉクライアントとして実行するシステムアドミニストレータは、その後、同じＷＬＡＮ上の他のスマートフォンによって制御され得る。１つの好適な実施形態では、システムアドミニストレータが、許可無しで、ネットワーク上の他のデバイスによって制御されることを阻止するために、システムアドミニストレータが、パスワード保護、Ｐｒｏｄｕｃｔ  Ａｐｐとのソケットレイヤ、ハードウェア許可チップ、または他の対策のような追加のセキュリティ対策を含めることが望ましい場合がある。
【００５９】
[0063]  好適には、スマートフォンが、システムアドミニストレータのワイヤレス信号から、システムアドミニストレータが、ＷＬＡＮネットワーククライアントとして設定され得る新たなワイヤレスデバイスであることを判定するように構成されている場合、スマートフォンは、好適には、システムアドミニストレータを、既知のＷＬＡＮネットワークのネットワーククライアントとして自動的に設定するために、ユーザが、既知のＷＬＡＮネットワークの必要なネットワークパラメータを、ピアツーピア通信リンクを使用して、スマートフォンのメモリから、システムアドミニストレータへとワイヤレスで自動的に入力することを可能にする。スマートフォンはまた好適には、スマートフォンが適切なＡｐｐストアからシステムアドミニストレータの関連するＰｒｏｄｕｃｔ  Ａｐｐを自動的にダウンロードすることを可能にするプロダクト識別子を、システムアドミニストレータのワイヤレス信号から判定することができ得る。
【００６０】
[0064]  システムアドミニストレータは、ピアツーピアデバイスまたはネットワークＷｉ−Ｆｉデバイスとして設定されると、好適には、電力がオフされた後であってもそのモードで動作し続け、その後、再びオンされる。各モードのために特有のオペレーティングパラメータのすべては、好適には、不揮発性メモリに保存され、電力が奪われると、保持される。電力が回復した場合、システムマイクロコントローラ２０８は、電力が奪われる前に動作していた同じＷｉ−Ｆｉモードで電力が投入され、適切なファームウェアおよびオペレーティングパラメータが、不揮発性メモリから復元される。
【００６１】
[0065]  ピアツーピアモードとネットワークＷｉ−Ｆｉモードとが同時に実行しているシステムアドミニストレータが望ましいアプリケーションがある。この状況では、ユーザは、Ｐｒｏｄｕｃｔ  Ａｐｐを介して、好適には、両モードを起動し、何れかのモードが使用されることを可能にする。同様に、ユーザは、Ｐｒｏｄｕｃｔ  Ａｐｐを介して、これらモードのうちの１つを無効化することを選択し得るか、または、所望されるように、ピアツーピアモードからネットワークＷｉ−Ｆｉモードへ、あるいは、その逆に、変更し得る。
【００６２】
[0066]  Ｗｉ−Ｆｉモードが変更される毎に、新たなモードのパラメータが、好適には、電力が切断または喪失されるイベントにおいて、システムマイクロコントローラ２０８によって保持される。電力が回復されると、システムマイクロコントローラ２０８は、電力が奪われる前の以前のオペレーティングと同じＷｉ−Ｆｉモードにおいて起動し、適切なオペレーティングパラメータが、不揮発性メモリから復元される。従って、システムマイクロコントローラ２０８は、好適には、不揮発性メモリから復元され得る、適応されたデフォルト設定で設定される。
【００６３】
[0067]  システムアドミニストレータが、完全にリセットされる必要のある時があり得ることが意図される。Ｐｒｏｄｕｃｔ  Ａｐｐは、好適には、システムアドミニストレータと通信し、システムアドミニストレータに対して、工場デフォルト設定へ再初期化するように命令することができる。このケースでは、システムアドミニストレータユニットへロードされたすべてのユーザ定義パラメータが喪失され、それが、工場デフォルト状態へ戻され、新たなユーザ定義パラメータを受信する準備ができる。
【００６４】
[0068]  システムアドミニストレータは、ヒューマンインターフェースを、スイッチ、ボタン、または容量性／近接タッチパッドの形態で組み込み得る。これは、ユーザが、アクセスアドミニストレータに対して、工場デフォルト設定へスマートフォンまたはＰｒｏｄｕｃｔ  Ａｐｐを使用することなく再初期化させるか、システムをリブートさせるか、または、Ｗｉ−Ｆｉ保護設定で支援させるために使用することができる。所望される場合、システムアドミニストレータは、デバイス自身におけるいかなるマニュアル入力も無く、動作のために設定され得る。
【００６５】
[0069]  １つの好適な実施形態では、ワイヤレス通信２０２は、Ｗｉ−Ｆｉ  ＤｉｒｅｃｔおよびネットワークＷｉ−Ｆｉ能力に加えて、Ｂｌｕｅｔｏｏｔｈ通信能力をも含み得る。図４を参照して示すように、スマートフォン１０とシステムアドミニストレータ２００との間のピアツーピアＢｌｕｅｔｏｏｔｈ通信リンクが、Ｗｉ−Ｆｉ  ＤｉｒｅｃｔまたはネットワークＷｉ−Ｆｉ通信リンクを確立するためのパラメータを入力するため、または、Ｗｉ−Ｆｉ  ＤｉｒｅｃｔまたはネットワークＷｉ−Ｆｉ通信リンクを開くために、Ｐｒｏｄｕｃｔ  Ａｐｐによって使用され得るか、または、Ｐｒｏｄｕｃｔ  Ａｐｐとシステムアドミニストレータ２００との間のデータの交換のためのピアツーピア通信リンクとして、自身の権限で動作し得る。Ｐｒｏｄｕｃｔ  Ａｐｐ、スマートフォンオペレーティングシステム、または、タッチパッド、ボタン、またはスイッチの形態のシステムアドミニストレータ２００におけるヒューマンインターフェースは、システムアドミニストレータ２００とスマートフォン１０との間のＢｌｕｅｔｏｏｔｈピアツーピア接続の確立を容易にし得る。Ｐｒｏｄｕｃｔ  Ａｐｐは、ユーザが、システムアドミニストレータ２００とスマートフォン１０との間の好適なピアツーピア通信方法としてＢｌｕｅｔｏｏｔｈを指定することを可能にするように構成され得る。Ｂｌｕｅｔｏｏｔｈ接続は好適には、選択されたＢｌｕｅｔｏｏｔｈ規格に固有の安全な送信方法およびプロトコルを利用する。
【００６６】
[0070]  ここでは、スマートフォン１０およびシステムアドミニストレータ２００が、ピアツーピアＷｉ−Ｆｉの営利実施を使用するか、または、Ｗｉ−Ｆｉ  Ｄｉｒｅｃｔ、システムアドミニストレータ２００、およびスマートフォン１０の適用が、好適には、ピアツーピアＷｉ−Ｆｉのその営利実施、または、Ｗｉ−Ｆｉ  Ｄｉｒｅｃｔの適用に特有なハンドシェイク、ネゴシエーション方法、プロトコル、仕様、規格、および設定要件を使用するように構成され、必要な任意のハードウェア、ソフトウェア、ファームウェア、または認証スキームを組み込み得、サポートされているのであれば、その処理を容易にするためにＢｌｕｅｔｏｏｔｈを使用し得る。
【００６７】
[0071]  １つの実施形態では、（当業者によって一般に理解されるような）ＩＥＥＥ８０２．１１のアドホックＩＢＳＳモードを利用する通信リンクまたはモードは、ここでは、明らかに除外される。
【００６８】
[0072]  １つの好適な実施形態では、システムアドミニストレータは、ネットワークＷｉ−Ｆｉ、Ｗｉ−Ｆｉ  Ｄｉｒｅｃｔ、Ｂｌｕｅｔｏｏｔｈ、または、ＮＦＣをサポートするスマートフォンにおける他のピアツーピア通信リンクを自動的に確立するために、新たなシステムアドミニストレータと最初に通信する場合にＰｒｏｄｕｃｔ  Ａｐｐが使用し得るＮＦＣ能力を含み得る。この処理は一般に「ブートストラップ」と称され、当業者によって知られている通信を初期化するための確立された方法である。
【００６９】
[0073]  図２に戻って示すように、ローカルネットワーク通信２０６は、システムマイクロコントローラ２０８が、好適には、送電線通信プロトコル、仕様、または規格を使用してビルの主配線を介して照明モジュール３００と通信することを可能にする、好適には、集積回路、構成要素、コントローラ、デジタル信号プロセッサ、トランシーバ、メモリ、マイクロプロセッサ、ＳｉＰ、またはＳｏＣの任意の組合せを含む。１つの好適な実施形態では、送電線通信は統合されたランダムアクセスメモリ（ＲＡＭ）、物理レイヤ（ＰＨＹ）、媒体アクセスコントローラ（ＭＡＣ）、およびアナログフロントエンドを備えたシングルチップソリューションを使用して実施され得る。ローカルネットワーク通信２０６は、いかなる修正、拡張、サブセット、改訂、または営利実施も含む、好適には、ＨｏｍｅＰｌｕｇ  Ｇｒｅｅｎ  ＰＨＹまたはＨｏｍｅｐｌｕｇ  ＡＶ２を含むＨｏｍｅＰｌｕｇ  Ｐｏｗｅｒｌｉｎｅ  Ａｐｐｌｉａｎｃｅ  Ｈｏｍｅｐｌｕｇ規格または仕様、ＩＥＥＥ  １９０１、１９０１．１、および１９０１．２規格または仕様、および／または、ＩＴＵ−ＴのＧ．ｈｎ規格または仕様、のうちの１つまたは複数をサポートする。他の適切なプロトコル、規格、または仕様は、限定されないが、Ｕｎｉｖｅｒｓａｌ  Ｐｏｗｅｒｌｉｎｅ  Ａｓｓｏｃｉａｔｉｏｎ、ＳｉＣｏｎｎｅｃｔ、ＨＤ−ＰＤＣ  Ａｌｌｉａｎｃｅ、Ｘｓｉｌｏｎ、およびＰｏｗｅｒｌｉｎｅ  Ｉｎｔｅｌｌｉｇｅｎｔ  Ｍｅｔｅｒｉｎｇ  Ｅｖｏｌｕｔｉｏｎ  Ａｌｌｉａｎｃｅからのものを含む。
【００７０】
[0074]  １つの好適な実施形態では、送電線通信に加えて、ローカルネットワーク通信２０６は、好適には、集積回路、無線機、アンテナ、メモリ、マイクロコントローラ、ＳｉＰｓ、ＳｏＣｓ、トランシーバ、構成要素、または、コントローラの組合せを含み得る。これらコントローラは、システムアドミニストレータ２００が、任意の修正、拡張、サブセット、改訂、または営利実施を含む、ＺｉｇＢｅｅ  Ａｌｌｉａｎｃｅによって公表された何れかのＺｉｇＢｅｅプロトコル、仕様、アプリケーションプロファイルまたは規格、何れかのＡＮＴプロトコル、仕様、または規格、ＷＩ−ＳＵＮ  Ａｌｌｉａｎｃｅによって公表された何れかのプロトコル、仕様、または規格、何れかのＺ−Ｗａｖｅプロトコル、仕様、または規格、Ｔｈｒｅａｄ  Ｇｒｏｕｐ  Ａｌｌｉａｎｃｅによって公表された任意のＴｈｒｅａｄプロトコル、仕様、または規格、または、限定されないが、ＩＥＥＥ  ８０２．１５．４を含むＩＥＥＥ  ８０２．１５に基づく何れかのプロトコル、仕様、または規格、のうちの１つまたは複数の含む任意の適切なワイヤレスＰＡＮまたはＨＡＮメッシュ規格、プロトコル、または仕様によって、照明モジュールとワイヤレスに通信することを可能にする。ローカルネットワーク通信２０６が、ワイヤレス通信のためのサポートを含む場合、アンテナ２１０ａまたは複数のアンテナが、必要に応じて追加され得る。ローカルネットワーク通信２０６が、送電線通信とワイヤレスメッシュ規格との両方のサポートを含んでいる場合、システムマイクロコントローラ２０８、または、ローカルネットワーク通信２０６における専用のマイクロコントローラは、送電線ネットワークまたはワイヤレスメッシュネットワークを同時に使用して通信し得るか、または、照明モジュール３００を用いて最もロバストな通信チャネルを動的に評価し、通信リンクを形成する際、または、データをオープンな通信リンクへ下降させる際に、最もロバストな通信を使用し得る。いくつかの照明モジュールが、ＺｉｇＢｅｅワイヤレス通信能力のみを用いてインストールされ得ることが認識され得る。好適には、システムアドミニストレータ２００は、ＺｉｇＢｅｅワイヤレス通信と送電線通信との両方で構成されるが、ＺｉｇＢｅｅのみをサポートしているこれら照明モジュールユニットを用いて、ＺｉｇＢｅｅワイヤレスを使用することのみによって動作する。
【００７１】
[0075]  送電線通信は、主電力配線を介してユーザのビルの外部を移動し得るので、システムアドミニストレータ２００は、好適には、照明モジュール３００との通信のための暗号化をサポートする。アクセスアドミニストレータ２００および電気照明モジュール３００は、好適には、選択された送電線通信プロトコル、仕様、または規格に固有の任意のパスワード、セキュリティ鍵、または他の安全なリンク方法を含むデータのセキュリティおよび暗号化のための規格および／または仕様を適用する。
【００７２】
[0076]  １つの好適な実施形態では、特定の送電線通信プロトコル、仕様、または規格の他の任意のペアリング技術を使用する能力を制限することなく、システムアドミニストレータ２００および照明モジュール３００が、ＨｏｍｅＰｌｕｇ  Ｐｏｗｅｒｌｉｎｅプロトコル、仕様、または規格を使用して通信する場合、照明モジュール３００は好適には、関連のない局として送信し得る。そして、関連のない識別子メッセージをブロードキャストし、Ｈｏｍｅｐｌｕｇネットワークがアクティブであり、ビルの主電力配線に連結可能であるか否かを判定する電力オンネットワーク発見手順に入り得る。
【００７３】
[0077]  照明モジュール３００が、システムアドミニストレータ２００の安全な送電線ネットワークに連結するために、照明モジュール３００は、好適には、先ず、システムアドミニストレータ２００のネットワークメンバシップ鍵を取得する。ネットワークメンバシップ鍵を取得するために、照明モジュールは、好適には、ユニークなデバイスアクセス鍵を用いてプログラムされる。スマートフォン１０とシステムアドミニストレータ２００との間のワイヤレス通信リンクを使用して、ユーザは、好適には、Ｐｒｏｄｕｃｔ  Ａｐｐを介して、照明モジュール３００のユニークなデバイスアクセス鍵を、システムアドミニストレータ２００へ入力する。システムアドミニストレータ２００は、そのネットワークメンバシップ鍵を暗号化し、送電線ネットワークを介してこれをブロードキャストするために、デバイスアクセス鍵を使用する。デバイスアクセス鍵は、照明モジュール３００に特有であるので、それは、ネットワークメンバシップ鍵を取得するために、システムアドミニストレータ２００からブロードキャストされたメッセージを解読することが可能な唯一の新たな局になるであろう。照明モジュールは、ネットワークメンバシップ鍵を取得すると、システムアドミニストレータ２００の送電線ネットワークに参加するために、これを使用することができ得る。この時点において、システムアドミニストレータ２００は、好適には、システムアドミニストレータ２００と照明モジュール３００との間のすべての通信が暗号化され安全であることを保証するネットワーク暗号鍵を、照明モジュール３００と共有する。
【００７４】
[0078]  照明モジュール３００のデバイスアクセス鍵は、物理ユニットに、または、照明モジュールに関連付けられた書類または電子フォーマットにおいて記録され得る。デバイスアクセス鍵は、ＱＲコード（登録商標）またはバーコードのような視覚的に読取可能な形式で記録され、Ｐｒｏｄｕｃｔ  Ａｐｐは、デバイスアクセス鍵を用いてＰｒｏｄｕｃｔ  Ａｐｐをスキャンし、自動的に追加するために、スマートフォンカメラを利用することが可能となる。視覚的に読取可能なコードはまた、照明モジュール３００の機能的な能力に関する追加情報を含み得、Ｐｒｏｄｕｃｔ  Ａｐｐが、設定中に、照明モジュールの機能的な能力に関する制御を自動的に関連付け、明らかにすることを可能にすることが認識され得る。例のみによって、機能的な能力は、取り付けられたランプ、照明器具、または照明素子における色混合をサポートするか、または取り付けられたランプ、照明器具、または照明素子の輝度を、減光回路を介して変化させる照明モジュールの能力を含み得る。１つの好適な実施形態では、視覚的に読取可能なコードの代わりに、または、それに加えて、照明モジュール３００は、スマートフォンによってサポートされている近距離通信を使用して、デバイスアクセス鍵および追加の任意の情報のＰｒｏｄｕｃｔ    Ａｐｐへの移動を可能にするＮＦＣ能力を備えて設定され得る。デバイスアクセス鍵は、Ｐｒｏｄｕｃｔ  Ａｐｐへマニュアルで入力され得る。
【００７５】
[0079]  照明モジュール３００およびシステムアドミニストレータ２００は共に、すべてのネットワーキング要件がすでにあらかじめ設定されているマッチトセットまたはキットとして共に提供され得る。たとえば、システムアドミニストレータのネットワークメンバシップ鍵および他の任意の必要なネットワーキング要件が、ベンダまたは製造者によって照明モジュール３００へ入力され、これによって、照明モジュール３００を、システムアドミニストレータ２００の関連付けられた局としてあらかじめ設定し、従って、電力がオンとされると、安全な送電線ネットワークを確立することができる。
【００７６】
[0080]  照明モジュールを、システムアドミニストレータの送電線ネットワークへオーサリングする他の方法は、本開示のスコープから逸脱することなく使用され、ソフトウェアまたはハードウェアボタンとしてヒューマンインターフェースを使用し得る方法を含んでいることが認識され得る。例のみによって、非対称な一般／秘密鍵暗号方法は、Ｐｒｏｄｕｃｔ  Ａｐｐにおけるソフトウェアボタンと、照明モジュールにおけるハードウェアボタンとを押すことによって利用され得る。この方法は、当業者によって理解されるであろう。所望される場合には、システムアドミニストレータ２００は、照明モジュール３００との安全な通信を確立する目的のために、システムアドミニストレータ２００を安全なペアリングモードへ設定するために使用され得るボタン、スイッチ、またはタッチパッドを含み得る。所望される場合には、照明モジュール３００は、システムアドミニストレータ２００との安全な通信を確立する目的のために、照明モジュール３００を安全なペアリングモードへ設定するために使用され得るボタン、スイッチ、またはタッチパッドのようなヒューマンインターフェースを含み得る。
【００７７】
[0081]  望まれるのであれば、システムアドミニストレータ２００と照明モジュール３００との間の安全なネットワークは、システムアドミニストレータおよび照明モジュールへ限定され、従って、プライベートな安全なネットワークを形成する。システムアドミニストレータ２００および照明モジュール３００におけるソフトウェア、ファームウェア、またはハードウェアレイヤは、たとえ同じネットワークメンバ鍵またはセキュリティ信用証明を使用する同じ物理レイヤ上であっても、他のデバイスが、システムアドミニストレータまたは照明モジュールと通信することを阻止する追加のセキュリティサービスを提供するように含まれ得る。
【００７８】
[0082]  図２を参照して示すように、データは、好適には、任意の必要な隔離またはフィルタを含む送電線カップラ２１４を介して、好適には、主配線上に物理的に変調される。
【００７９】
[0083]  システムアドミニストレータ２００は、システムアドミニストレータ２００のステータスまたは動作要素を表す１つまたは複数の照明手段または視覚要素を含むように構成され得る。視覚要素は、単純な発光ダイオード、ＬＣＤ、カラーＬＣＤ、統合ディスプレイ、またはこれら任意の組合せにより得る。
【００８０】
[0084]  上述されたシステムは、本開示のスコープから逸脱することなく、多くの方式で変化され得ることが当業者によって認識されるであろう。例のみによって、ワイヤレス通信モジュール２０２、システムマイクロコントローラ２０８、永久クロックカレンダ２０４、およびローカルネットワーク通信モジュール２０６の要素は、単一の構成要素、ＳｏＣ、またはＳｉＰへ集合または分離され得る。例のみで、ＺｉｇＢｅｅのようなワイヤレスメッシュ通信が、ローカルネットワーク通信２０６の代わりに、ワイヤレス通信２０２へ追加され得る。所望される場合には、送電線通信およびＺｉｇＢｅｅワイヤレス通信は、単一のＳｏＣまたはＳｉＰへ集合され得る。ワイヤレス通信２０２が、ワイヤレスメッシュネットワークをサポートするように構成されている場合、共有アンテナサポートが利用可能ではないところでは、さらなるアンテナが追加され得る。
【００８１】
[0085]  図３は、照明モジュール３００の好適な機能要素を図示する。照明モジュール３００は好適には、送電線通信コントローラ３０２、永久クロックカレンダ３０４、電力変換および制御３０６、埋め込まれたメモリを備えたシステムマイクロコントローラ３０８、送電線カップラ３１０、および送電線接続３１２を含む。いくつかの好適な実施形態では、システムマイクロコントローラ３０８が、埋め込みメモリに加えて、または、埋め込まれたメモリの代わりに、外部メモリをサポートすることが好適であり得る。いくつかの好適な実施形態では、システムマイクロコントローラ３０８および送電線通信コントローラ３０２が、完全に統合または集合され得る。いくつかの好適な実施形態では、永久クロックカレンダは完全に省略され得るか、システムマイクロコントローラ３０８の一部を形成し得る。
【００８２】
[0086]  送電線接続３１２は、照明モジュール３００へ電力を供給するため、システムアドミニストレータ２００との送電線ネットワークを形成するため、および、照明モジュール３００へ機能的に接続されたランプ、照明器具、または照明素子３１４へ電力を供給するため、に使用されるビル内の主電力配線へ照明モジュール３００を接続するための物理的なインターフェースである。１つの好適な実施形態では、送電線接続３１２は、好適には、ビルまたは建物の主電力へダイレクトに配線するために構成された端子ブロックを組み込み得る。１つの好適な実施形態では、照明モジュール３００は、壁の後ろに据え付けられるか、壁据付パネルであり得るか、または壁据付光スイッチへ統合され得る。所望される場合には、照明モジュール３００は、光安定メカニズムへ組み込まれ得るか、光安定メカニズムの一部を形成し得るか、ＬＥＤ照明器具へ組み込まれ得るか、ＬＥＤ照明器具の一部を形成し得る。所望される場合には、安定器、照明モジュール、および、１つまたは複数のＬＥＤランプは、好適には、完全なＬＥＤ照明器具を形成するための単一のデバイスとして形成され得る。本明細書で使用されるように、「安定器」という用語は、現代の照明システムにおいて一般に使用されている低電圧電源を称し、その構成および実施は、当業者によって良好に確立され、知られている。例のみによって、安定器は、低電圧多面反射（ＭＲ）白熱ライト（ハロゲンを含む）またはＬＥＤライトを動作させるために、２４０ボルト主電力を低電圧へ変換するために使用され得る。照明モジュールが完全なＬＥＤ照明器具の一部を形成する場合、送電線接続３１２は、例のみによって、ＭＲ１６、ＧＵ１０、Ｅ２６、Ｅ２７、またはＰＡＲシリーズのインターフェースのような任意の共通の光接続規格に準拠し得、照明備品内での接続を可能にする。
【００８３】
[0087]  １つの好適な実施形態では、送電線接続３１２は、照明モジュール３００を主電力汎用コンセントにダイレクトにプラグインすることを可能にするＮＥＭＡ  ５−１５  北米主電力規格との互換性のために構成され得る。別の好適な実施形態では、照明モジュール３００は、フライングリードを用いて構成され得る。照明モジュールは、本開示のスコープから逸脱することなく、様々な国々のプラグおよびソケット、ならびに、電流および電圧要件に従って設定され得ることが認識されるであろう。
【００８４】
[0088]  送電線通信コントローラ３０２からのデータは、好適には任意の必要な隔離またはフィルタを含む送電線カップラ３１０を介して、好適には、主配線上に物理的に変調される。
【００８５】
[0089]  システムマイクロコントローラ３０８と、スマートフォン１０上で動作するＰｒｏｄｕｃｔ  Ａｐｐとの間の命令および応答は、照明モジュール３００における送電線通信コントローラ３０２、システムアドミニストレータ２００におけるローカルネットワーク通信２０６、システムアドミニストレータ２００におけるワイヤレス通信２０２によってサポートされているスマートフォン１０とのワイヤレスリンク、によってサポートされている送電線通信リンクを介して通信される。
【００８６】
[0090]  送電線通信コントローラ３０２は好適には、システムマイクロコントローラ３０８が、好適には、送電線通信プロトコル、仕様、または規格を使用してビルの主電力配線を介してシステムアドミニストレータ２００と通信することを可能にする、集積回路、構成要素、コントローラ、デジタル信号プロセッサ、トランシーバ、メモリ、マイクロプロセッサ、ＳｉＰ、またはＳｏＣの任意の組合せを含む。１つの好適な実施形態では、送電線通信は、統合されたランダムアクセスメモリ（ＲＡＭ）、物理レイヤ（ＰＨＹ）、媒体アクセスコントローラ（ＭＡＣ）およびアナログフロントエンドを備えたシングルチップソリューションを使用して実施され得る。送電線通信コントローラ３０２は、いかなる修正、拡張、サブセット、改訂、または営利実施も含む、好適には、ＨｏｍｅＰｌｕｇ  Ｇｒｅｅｎ  ＰＨＹまたはＨｏｍｅＰｌｕｇ  ＡＶ２を含むＨｏｍｅＰｌｕｇ  Ｐｏｗｅｒｌｉｎｅ  Ａｐｐｌｉａｎｃｅ  Ｈｏｍｅｐｌｕｇ規格または仕様、ＩＥＥＥ  １９０１、１９０１．１、および１９０１．２規格または仕様、および／または、ＩＴＵ−ＴのＧ．ｈｎ規格または仕様、のうちの１つまたは複数をサポートする。他の適切なプロトコル、規格または仕様は、限定されないが、Ｕｎｉｖｅｒｓａｌ  Ｐｏｗｅｒｌｉｎｅ  Ａｓｓｏｃｉａｔｉｏｎ、ＳｉＣｏｎｎｅｃｔ、ＨＤ−ＰＬＣ  Ａｌｌｉａｎｃｅ、Ｘｓｉｌｏｎ、およびＰｏｗｅｒｌｉｎｅ  Ｉｎｔｅｌｌｉｇｅｎｔ  Ｍｅｔｅｒｉｎｇ  Ｅｖｏｌｕｔｉｏｎ  Ａｌｌｉａｎｃｅからのものを含む。
【００８７】
[0091]  １つの好適な実施形態では、図３に図示されていないが、送電線通信に加えて、送電線通信コントローラ３０２は好適には、任意の修正、拡張、サブセット、改訂、または営利実施を含む、ＺｉｇＢｅｅ  Ａｌｌｉａｎｃｅによって公表された何れかのＺｉｇＢｅｅプロトコル、仕様、アプリケーションプロファイルまたは規格、何れかのＡＮＴプロトコル、仕様、または規格、ＷＩ−ＳＵＮ  Ａｌｌｉａｎｃｅによって公表された何れかのプロトコル、仕様、または規格、何れかのＺ−Ｗａｖｅプロトコル、仕様、または規格、Ｔｈｒｅａｄ  Ｇｒｏｕｐ  Ａｌｌｉａｎｃｅによって公表された任意のＴｈｒｅａｄプロトコル、仕様、または規格、および／または、限定されないが、ＩＥＥＥ  ８０２．１５．４を含むＩＥＥＥ  ８０２．１５に基づく何れかのプロトコル、仕様、または規格のうちの１つまたは複数の含む任意の適切なワイヤレスＰＡＮまたはＨＡＮメッシュ規格、プロトコル、または仕様によって、システムアドミニストレータ２００および他の照明モジュール３００とのワイヤレス通信をサポートするために、任意の数および組合せの集積回路、無線機、アンテナ、メモリ、マイクロコントローラ、ＳｉＰ、ＳｏＣ、トランシーバ、構成要素、または、コントローラを含み得る。送電線通信コントローラ３０２が、ワイヤレス通信のためのサポートを含む場合、さらなるアンテナが必要に応じて追加され得る。送電線通信コントローラ３０２が、送電線通信とワイヤレスメッシュ規格との両方のためのサポートを含んでいる場合、システムマイクロコントローラ３０８または、送電線通信コントローラ３０２における専用マイクロコントローラは、送電線ネットワークまたはワイヤレスメッシュネットワークを同時に使用して通信し得るか、または、システムアドミニストレータ２００および他の照明モジュール３００を用いて最もロバストな通信チャネルを動的に評価し、通信リンクを形成する際、または、データをオープンな通信リンクへ下降させる際に、最もロバストな通信媒体を使用し得る。
【００８８】
[0092]  電力変換および制御３０６は、好適には、ランプ、照明器具、または照明素子３１４が照明モジュール３００へ接続され、照明モジュール３００から電力を供給されることを可能にする物理的な出力接続を含む。電力変換および制御３０６は、白熱ランプまたは高強度放電ランプのようなランプへの主電力レベルを操作および変化させるように構成され得るか、または、低電圧白熱ランプ（ハロゲンを含む）およびＬＥＤランプのような低電圧ランプへ供給される電力を制御するように構成され得る。１つの好適な実施形態では、電力変換および制御３０６は、例のみによって、ＧＵ５．３  ｂｉ−ｐｉｎ規格またはＧＵ１０  ｔｕｒｎ−ａｎｄ−ｌｏｃｋ規格のような任意の一般的な光接続規格に準拠し得、従って、リムーバブルなランプが、電力変換および制御３０６とダイレクトに係合することを可能にする。１つの好適な実施形態では、ランプ、照明器具、照明素子は、電力変換および制御３０６へ永久的に結合され得る。照明モジュール３００は、１つよりも多くのランプ、照明器具、または照明素子に電力を供給するように設計され得る。
【００８９】
[0093]  １つの好適な実施形態では、電力変換および制御３０６は、ランプ、照明器具、または照明素子への電力の供給を、単純なオン／オフ方式で変動させるように構成された単一の半導体スイッチ、リレー、または電気機械式リレーを含み得る。別の好適な実施形態では、電力変換および制御３０６は、別のランプ、照明器具、または照明素子への電力の供給を、個別にまたはグループで、単純なオン／オフ方式で変動させるように構成された多くのリレーを含み得る。別の好適な実施形態では、電力変換および制御３０６は、照明素子における個々の構成要素への、または、様々なランプまたは照明器具への電力の供給を変化させるように構成された任意の数および混成の半導体コントローラ、スイッチ、ミキサ、リレー、または電気機械式リレーを含み得る。
【００９０】
[0094]  別の好適な実施形態では、電力変換および制御３０６は、減光制御を含み得る。減光制御は、ランプ、照明器具、または照明素子へ送られる電力の量を変化させるために使用され、減光制御は、システムマイクロコントローラ３０８によって指示されるように、完全オンから完全オフまでのどこか、または、ある中間範囲の光出力へ光出力が変化されることを可能にする適切な特徴を有する。システムマイクロコントローラ３０８の制御下で電力変換および制御３０６において減光を使用することによって、ランプ、照明器具、または照明素子へ送られる電力の量が規制され得る。減光制御へ示される電気的負荷は、光のタイプおよび構成に依存して、抵抗性、誘導性、または容量性であり得るので、減光ユニットは、リーディングエッジ、トレーリングエッジ、パルス幅変調、または、他の適切な可変電力制御の方法を提供するように構成され得る。これら基本的な減光技術に対する他の要件および方法は、光制御システムの当業者によって理解されるであろうから、詳細には記述されないが、ランプ、照明器具、または照明素子によって放出される光の量を制御することができるという同じ効果を有する任意の方法が使用され得る。
【００９１】
[0095]  異なるランプ技術の機能的特性は、いくつかが、リーディングエッジ減光を使用してより良好に実行する一方、他が、トレーリングエッジ減光またはその適応または変形を使用してより良好に実行する。照明モジュール３００が、電力変換および制御３０６へ永久的に結合されたランプ、照明器具、または照明素子と共に構成されていない場合、ユーザは、好適には、Ｐｒｏｄｕｃｔ  Ａｐｐを介して、照明モジュール３００に接続されているランプまたは照明素子のタイプを指定することができる。Ｐｒｏｄｕｃｔ  Ａｐｐは、好適には、選択されたタイプのランプまたは照明素子のための最適な減光方法を設定し、接続されたランプまたは照明素子を減光する場合、この方法を使用するように照明モジュール３００へ命令する。例によって、ランプ、照明器具、または照明素子３１４が、低電圧ハロゲンであれば、減光は、ランプまたは照明素子の最大電圧レートが超過されないことを保証しながら、白熱ランプの主電力減光のために使用されるリーディングエッジ減光機能を模擬することによって、システムマイクロコントローラ３０８によって、および、ランプまたは照明素子にわたって適用される平均電圧を変化させる電力変換および制御３０６、によって実行され得る。ランプ、照明器具、または照明素子３１４が、低電圧ＬＥＤであれば、減光は、ランプまたは照明素子の最大電流レートが超過しないことを保証しながら、システムマイクロコントローラ３０８と、ランプまたは照明素子を通過する平均電流をパルス幅変調方法によって変動させる電力変換および制御３０６と、によって実行され得る。ランプまたは照明素子が保護されることを保証するために、ランプ、照明器具、または照明素子に印加された電圧、および、流れた電流の広範囲なモニタリングおよび制御は、好適には、電力変換および制御３０６によって実行される。
【００９２】
[0096]  Ｐｒｏｄｕｃｔ  Ａｐｐは、スマートフォン１０、システムアドミニストレータ２００、および照明モジュール３００の一部であるので、ネットワークおよび制御の当業者は、減光制御方法およびパラメータが、本開示のスコープから逸脱することなく、Ｐｒｏｄｕｃｔ  Ａｐｐ、システムアドミニストレータ２００、および／または、照明モジュール３００に保持され得ることを理解するであろう。
【００９３】
[0097]  ランプ、照明器具、または照明素子３１４が、セグメント化された発光技術のアレイで構成されている場合、セグメント化された発光技術からの光の強度が、システムマイクロコントローラ３０８および電力変換および制御回路３０６によって別々におよび個別に制御されることが好適であり得る。
【００９４】
[0098]  １つの好適な実施形態では、ランプ、照明器具、または照明素子３１４は、色混合の処理によって異なる色のスペクトルを生成することが可能なカラー発光ダイオード（ＬＥＤ）の光アレイを含み得る。色混合は、典型的には、赤、緑、および青のＬＥＤの組合せの強度または光出力を変化させることによって特定の色を生成する工程を含む。本開示の１つまたは複数の実施形態は、カラーＬＥＤのアレイを使用する能力を備えて構成され得るが、それは、赤、緑、および青のＬＥＤの使用に特に限定されることはなく、所望の色混合およびスペクトル能力を達成するために、白および／または、カラー発光技術の任意の混合を使用し得る。
【００９５】
[0099]  ユーザが色を選択または変化させるために、Ｐｒｏｄｕｃｔ  Ａｐｐは好適には、光アレイが生成することができる色のスペクトルの近似を表現するビジュアルインターフェースを提供する。ユーザが、Ｐｒｏｄｕｃｔ  Ａｐｐにおいて色を選択した場合、Ｐｒｏｄｕｃｔ  Ａｐｐは好適には、現在の輝度レベルにおいて、ユーザが選択した色の近似を伝えるために必要な発光アレイにおける成分色の強度を計算する。Ｐｒｏｄｕｃｔ  Ａｐｐは好適には、Ｐｒｏｄｕｃｔ  Ａｐｐにおいてユーザによって選択された近似を表現する最も近い発光色を生成するために、システムマイクロコントローラ３０８に対して、発光アレイにおける各成分光へ必要な電力を提供するように電力変換および制御回路３０６を変化させるように命令する。
【００９６】
[0100]  １つの好適な実施形態では、成分色混合の計算が、好適には、Ｐｒｏｄｕｃｔ  Ａｐｐ以外の発光モジュール３００におけるシステムマイクロコントローラ２０８、システムマイクロコントローラ３０８、または専用混合構成要素によって取り扱われ得る。
【００９７】
[0101]  １つの好適な実施形態では、照明モジュール３００は、スマートフォンを使用することなく、照明モジュール３００のダイレクトな制御を可能にし得る外部ヒューマンインターフェース３１６（図３）をサポートし得る。これによって、ユーザは、例のみであるが、スマートフォンを使用することなく、ランプ、照明器具、または照明素子をオンまたはオフするか、または減光レベルを変化させ、または、色を変化させることが可能となる。
【００９８】
[0102]  主電力配線、照明モジュール、およびランプ、照明器具、または照明素子間の物理的な相互接続方法は、本開示のスコープから逸脱することなく、永久および／または異なるプラグおよびレセプタクル接続タイプの範囲によって実行され得ることが認識されるであろう。
【００９９】
[0103]  図示されていないが、１つの好適な実施形態では、照明モジュール３００が、電力変換および制御３０６を介して伝送された電気の電気的パラメータが測定され、システムマイクロコントローラ３０８を介してシステムアドミニストレータ２００へレポートされることを可能にする電力測定能力を含めることが望ましい場合がある。これらパラメータは、瞬間的な電圧、電流および電力、ＩｒｍｓおよびＶｒｍｓ、平均的な実際のおよび外見的な電力およびエネルギー対パルス変換を含み得る。測定された電気的パラメータのいくつかまたはすべては、システムアドミニストレータ２００を用いてワイヤレス通信リンクを介してスマートフォン１０へ送信され、ここで、Ｐｒｏｄｕｃｔ  Ａｐｐは、必要とされるのであれば、追加の計算または変換を実行することができ、ユーザが見るためのスマートフォンのタッチ感知式スクリーン上にグラフィックフォーマットで結果を表示する。これらのパラメータの適切な処理によって、ランプ、照明器具、または照明素子３１４によって使用される瞬間的な電力のような情報が表示されることを可能にする。経時的な電力消費、使用された合計電力、および傾向分析はまた、好適には、測定され、ユーザへ表示され得る基本的な電気パラメータの有用な表現のうちのいくつかである。スマートフォンのインターネット能力を使用することによって、Ｐｒｏｄｕｃｔ  Ａｐｐは、電力会社のレートおよび課金にアクセスし、ユーザに、用途およびコスト比較を提供するであろう。
【０１００】
[0104]  電力測定を含めることによって、単純なメータリング以外のより高度な機能が、照明モジュール３００によって提供されることが可能となる。１つの好適な実施形態では、システムマイクロコントローラ３０８は、照明モジュール３００とランプ、照明器具または照明素子の両方を保護するために、電力変換および制御３０６に対して、ランプ、照明器具、または照明素子３１４への電力を低減または削除させるために、電力測定回路を介して様々な電気的なパラメータを連続的に測定し、システムマイクロコントローラ３０８は、可能な誤り条件を検出できるようになり得る。別の好適な実施形態では、システムマイクロコントローラ３０８は、電力測定回路によって、通常の動作しきい値を確立するために、動作負荷の下、電力変換および制御３０６の測定を行い得る。システムマイクロコントローラ３０８は、電力測定回路を定期的または連続的にモニタし、動作しきい値からのあらゆる偏差をＰｒｏｄｕｃｔ  Ａｐｐへレポートし得る。例のみによって、これは、電力変換および制御３０６へ接続された照明のグループの動作負荷を測定し、ユーザが、Ｐｒｏｄｕｃｔ  Ａｐｐを介して、各照明器具を検査することなく消費された電力における変化に基づいて、照明が故障したか否かを判定することを可能にする、ために使用され得る。１つの好適な実施形態では、照明モジュール３００によって生成された任意の電力測定データは、システムアドミニストレータ２００へ送信され、システムマイクロコントローラ２０８は、システムマイクロコントーラ３０８に対して、レポートされた電力測定データに基づいて機能を実行させることが可能となる。
【０１０１】
[0105]  永久クロックカレンダ３０４は好適には、バッテリまたはスーパコンデンサによる電力バックアップを含んでおり、これによって、電力が喪失された事例において、実時間が正確に維持されることを可能にする。永久クロックカレンダ３０４を含めることによって、システムマイクロコントローラ３０８は、スケジュール、または、時間および／または日付の関数に基づいて、命令を自動的に生成し、その機能の何れかを実行するか、または、データを交換することが可能となる。このように、照明モジュール３００は、多くの複雑なプログラムされた自動化スキームを独立して実行できるであろう。
【０１０２】
[0106]  図４は、スマートフォン１０、システムアドミニストレータ２００、多数の照明モジュール３００ａ、３００ｂおよび３００ｃ、およびこれら要素の各々を接続する通信システムの典型的な配置を図示するシステム１００の絵表現である。Ｗｉ−Ｆｉ  ＷＬＡＮは、アクセスポイント１４を有する。アクセスポイント１４は、インターネット接続１６を有する。Ｗｉ−Ｆｉ  ＷＬＡＮ通信は、好適には、アクセスポイント１４を通過する。システムアドミニストレータ２００がネットワークＷｉ−Ｆｉデバイスとして構成される場合、それは好適にはアクセスポイント１４のクライアントとして動作するであろう。スマートフォン１０が、ネットワークＷｉ−Ｆｉデバイスとして動作しているシステムアドミニストレータ２００と通信するために、スマートフォン１０はまた好適には、クライアントとしてアクセスポイント１４へ接続される。スマートフォン１０からのメッセージはその後、アクセスポイント１４を通過してシステムアドミニストレータ２００に渡り、また、その逆もあるであろう。スマートフォン１０がアクセスポイント１４のワイヤレス範囲になかったのであれば、もしもそのように構成されていれば、インターネット接続１６を介して、アクセスポイント１４を通過してシステムアドミニストレータ２００へ通信することができ得る。１つの好適な実施形態では、Ｐｒｏｄｕｃｔ  Ａｐｐは、好適には、インターネット接続１６およびアクセスポイント１４を介したシステムアドミニストレータ２００の遠隔制御または問い合わせを容易にするために、スマートフォンのセルラまたはネットワークＷｉ−Ｆｉ能力を使用して、外部サービスプロバイダとデータを交換することができ、ここでは、システムアドミニストレータ２００は、アクセスポイント１４のネットワーククライアントとして動作する。インターネット接続を介した、スマートフォンとアクセスポイント、およびそのアクセスポイントのネットワーククライアントとの間の通信は、当業者によって良好に理解されるであろう。
【０１０３】
[0107]  ネットワークＷｉ−Ｆｉモードで動作することに加えて、またはその代わりに、システムアドミニストレータ２００は、好適には、Ｗｉ−Ｆｉ  Ｄｉｒｅｃｔを利用する、または、ＳｏｆｔＡＰとして動作する、ピアツーピアモードで動作するように構成され得る。その事例では、スマートフォン１０は、他の何れのデバイスをも必要とすることなく、システムアドミニストレータ２００へダイレクトにワイヤレスで接続し得る。従って、（１）アクセスポイント１４は、ピアツーピア通信のために必要とされない、（２）通信リンクは、「必要」ベースで形成される、そして（３）スマートフォン１０は、ダイレクトな通信リンクを確立するために、システムアドミニストレータ２００の無線範囲内にある必要がある、ことが理解され得る。望ましい場合、スマートフォン１０とシステムアドミニストレータ２００との間のピアツーピア接続は、Ｂｌｕｅｔｏｏｔｈ経由であり得る。
【０１０４】
[0108]  ネットワークＷｉ−Ｆｉ接続およびＷｉ−Ｆｉ  Ｄｉｒｅｃｔピアツーピア接続は、利便性およびセキュリティの別の組合せを提供することが認識され得る。ネットワークＷｉ−Ｆｉデバイスとして動作するシステムアドミニストレータは、アクセスポイント１４がインターネット接続１６を有する場合、スマートフォンによって遠隔制御され得るが、システムアドミニストレータは、その後、外部の世界へ曝され、ハッキングのような外部の脅威に対して脆弱になり得る。あるいは、その制限されたワイヤレス範囲およびピアツーピアアーキテクチャによるＷｉ−Ｆｉ  Ｄｉｒｅｃｔ接続は、より高いレベルのセキュリティを提供する。動作モード間のバランスは、通常、主観的であり、手元にあるアプリケーションに依存する。いくつかの事例では、ＷＬＡＮの利用可能度のようなインフラストラクチャ制限はさらに、動作モードを制約し得る。
【０１０５】
[0109]  システムアドミニストレータ２００は、アクセスポイント１４の受信信号強度インジケータまたは受信チャネル電力インジケータを提供するように構成され得、システムアドミニストレータ２００は好適には、スマートフォン１２上に表示するために、Ｐｒｏｄｕｃｔ  Ａｐｐへレポートし得る。受信信号強度インジケータ、または受信チャネル電力インジケータは、受信された無線信号に存在する電力の測定値である。そして、安定で信頼性のある通信リンクのための最良の環境を提供するために、２つのデバイスであるシステムアドミニストレータ２００とアクセスポイント１４との間に、十分に強いワイヤレス信号が存在することを保証するために、ユーザが、アクセスポイント１４に十分近いシステムアドミニストレータ２００のようなワイヤレス製品を位置決めすることを可能にする。Ｐｒｏｄｕｃｔ  Ａｐｐはまた、好適には、スマートフォン１０によって測定された、システムアドミニストレータ２００のための受信信号強度インジケータまたは受信チャネル電力インジケータをスマートフォンスクリーン１２上に表示する。Ｐｒｏｄｕｃｔ  Ａｐｐは、アクセスアドミニストレータ２００によって測定された、送電線ネットワーク上の任意の照明モジュール３００の受信信号強度インジケータまたはその等価物をスマートフォンスクリーン１２上に表示し得る。
【０１０６】
[0110]  所望される場合、システムアドミニストレータ２００は、システムアドミニストレータ２００が測定することが可能であり得る任意のワイヤまたはワイヤレス信号のための受信信号強度インジケーションを表示することができるビジュアルインジケータで設定され得る。
【０１０７】
[0111]  ワイヤレス通信２０２の適応可能な性質と、そのマルチモード、ピアツーピアおよびネットワーク通信能力によって、システムアドミニストレータは、Ｗｉ−Ｆｉネットワークを使用して、または使用することなく、スマートフォンとの通信のための多くの異なる方式を設定されるようになることが認識され得る。例によって、スマートフォン１０、電力制御ユニット２００、およびＰｒｏｄｕｃｔ  Ａｐｐは、スマートフォン１０がアクセスポイント１４とのＷＬＡＮ接続を切断する必要なく、システムアドミニストレータの制御を可能にするそれら通信経路のみを好適に利用するように構成され得る。そのようにして、システムアドミニストレータ２００はまた、アクセスポイント１４のクライアントとして構成され得るが、システムアドミニストレータ２００をアクセスポイント１４のクライアントとして設定することは常に可能であるということも、望ましいということでもない。その事例では、スマートフォン１０とシステムアドミニストレータ２００との間の通信は、システムアドミニストレータ２００およびスマートフォン１０によってサポートされているピアツーピア通信規格を利用する必要があるであろう。スマートフォン１０がＷｉ−Ｆｉ  ＤｉｒｅｃｔとネットワークＷｉ−Ｆｉとを同時にサポートする場合、システムアドミニストレータ２００およびスマートフォン１０は、好適には、Ｗｉ−Ｆｉ  Ｄｉｒｅｃｔ通信リンクを形成し、これによって、スマートフォン１０は、システムアドミニストレータ２００へピアツーピアで同時に接続されながら、アクセスポイント１４へ接続され続けるようになる。スマートフォン１０がＷｉ−Ｆｉ  Ｄｉｒｅｃｔをサポートしない場合、システムアドミニストレータ２００は、好適には、Ｗｉ−Ｆｉアクセスポイントとして見えるが、スマートフォンが、通常、２つのアクセスポイントに同時に接続することが可能ではない一方、いくつかのスマートフォンは、アクセスポイントおよびＳｏｆｔＡＰ、または、模擬されたアクセスポイントへ同時に接続することが可能であり、これによってスマートフォン１０は、アクセスポイント１４へ接続され続け、Ｗｉ−Ｆｉアクセスポイントを模擬している、または、ＳｏｆｔＡＰとして動作しているシステムアドミニストレータ２００へ接続でき得る。スマートフォン１０が、アクセスポイント１４へ、および、Ｗｉ−Ｆｉアクセスポイントを模擬しているシステムアドミニストレータ２００へ同時に接続することができない場合、システムアドミニストレータ２００は好適には、Ｂｌｕｅｔｏｏｔｈを使用してスマートフォン１０とピアツーピアで通信するように構成され得る。
【０１０８】
[0112]  図５に移って示すように、本開示の好適な実施形態において、スマートフォン１０による、ネットワークＷｉ−Ｆｉデバイスとして、システムアドミニストレータ２００の設定のための典型的な設定手順４００が図示される。設定手順４００は、スマートフォンオペレーティングシステムに関して記述されているが、設定手順４００は、そのように限定されず、Ｐｒｏｄｕｃｔ  Ａｐｐが必要に応じてスマートフォンワイヤレス通信を制御できる場合、Ｐｒｏｄｕｃｔ  Ａｐｐによって実行され得る。
【０１０９】
[0113]  工程４０２において、スマートフォン１０は、図４におけるＷｉ−Ｆｉネットワークアクセスポイント１４のようなネットワークアクセスポイントへ接続される。工程４０４において、電力が、システムアドミニストレータ２００へ初めて印加され、システムアドミニストレータ２００は、そのシステムのすべてを動作させることが可能となる。工程４０６において、Ｗｉ−Ｆｉネットワークアクセスポイントを模擬し、ＳｏｆｔＡＰとして動作するように構成されたワイヤレス通信モジュール２０２は、そのネットワーク情報をワイヤレスでビーコンを開始する。ワイヤレスビーコンは好適には、識別子を解釈するように構成されたＷｉ−Ｆｉデバイスへ、システムアドミニストレータ２００を、設定されていないＷｉ−Ｆｉネットワークデバイスとしてレポートする識別子を含む。工程４０８において、スマートフォンオペレーティングシステムは、スマートフォンのワイヤレストランシーバを介して、システムアドミニストレータ２００ビーコンを受信し、ビーコンにおける識別子から、システムアドミニストレータ２００が、設定されていないシステムアドミニストレータであると判定し、新たな、設定されていないシステムアドミニストレータを検出したことを、スマートフォンタッチスクリーンを介してユーザへレポートする。工程４１０において、スマートフォンオペレーティングシステムは、システムアドミニストレータ２００を、既知のＷｉ−Ｆｉネットワーク、好適には、ネットワークスマートフォン１０が現在接続しているもの、へ参加させたいか否かをユーザに尋ねる。工程４１２において、ユーザは、スマートフォンスクリーン上のタッチ入力によって、設定されていないシステムアドミニストレータを、スマートフォンオペレーティングシステムによって知られているネットワークへ参加させたいと思っていることを確認する。
【０１１０】
[0114]  工程４１４において、スマートフォンオペレーティングシステムは、スマートフォン１０とシステムマイクロコントローラ２０８との間の通信リンクを確立する際、または、ネットワーククライアントとして設定中に使用されるべき特有の名前を、設定されていないシステムアドミニストレータ２００へ与える際に、使用されるセキュリティコードのような、望ましいまたは必要とされるパラメータを入力するようにユーザに対して要求し得る。工程４１４は、スマートフォン１０によって知られているネットワークのネットワーククライアントとして、スマートフォン１０によってシステムアドミニストレータ２００の設定のための最も迅速かつ最も容易なメカニズムを提供することが望ましい場合、または、システムアドミニストレータ２００へユニークな名前を与えることのように、システムアドミニストレータ２００が、クライアントとして設定され、ネットワークへ接続された後に工程４１４の要素が実行される場合に、除外され得ることが認識され得る。
【０１１１】
[0115]  工程４１６において、スマートフォンオペレーティングシステムは、好適には、ネットワークアクセスポイントを模擬するか、またはＳｏｆｔＡＰとして動作するように構成されたシステムアドミニストレータ２００との安全なピアツーピアＷｉ−Ｆｉ接続を確立する。安全なピアツーピアＷｉ−Ｆｉ接続を開くことは、システムアドミニストレータ２００およびスマートフォン１０へ統合された認証ハードウェア、ファームウェア、またはソフトウェアの利用を含み得、これによって、システムアドミニストレータ２００は、ユーザが、何れかのセキュリティ信用証明をマニュアルで入力することを要求することなく、認証ハンドシェイクを利用しているスマートフォン１０との安全な接続を自動的に確立できるようになり得る。スマートフォン１０が、ネットワークアクセスポイントと、Ｗｉ−Ｆｉネットワークアクセスポイントを模擬する、または、システムアドミニストレータ２００のようなＳｏｆｔＡＰとして動作するデバイスとの同時接続をサポートすることができない場合、スマートフォン１０は、システムアドミニストレータ２００との安全なピアツーピアＷｉ−Ｆｉ接続を確立するために、Ｗｉ−Ｆｉネットワークアクセスポイントから切断することによって、システムアドミニストレータ２００と接続することに優先度を与えるようにプログラムされ得ることが認識され得る。
【０１１２】
[0116]  工程４１８において、スマートフォンオペレーティングシステムは、システムアドミニストレータ２００が、ネットワークＷｉ−Ｆｉクライアントデバイスとして、指定されたネットワークに参加することができるように、ネットワークパスワード、および、他の任意の望ましいまたは必要なパラメータを含む、既知のネットワークのネットワーク信用証明を用いてシステムアドミニストレータ２００を設定する。工程４２０において、スマートフォンオペレーティングシステムは、システムアドミニストレータ２００とのピアツーピアＷｉ−Ｆｉ接続を終了する。工程４１６において、システムアドミニストレータ２００とのピアツーピアＷｉ−Ｆｉ接続を確立するために、スマートフォンオペレーティングシステムが、ネットワークアクセスポイントから切断した場合、スマートフォンオペレーティングシステムは、好適には、ネットワークアクセスポイントとの接続を再確立する。工程４２２において、システムアドミニストレータ２００は、スマートフォンオペレーティングシステムからのネットワークコンフィギュレーションデータを使用して、ネットワークＷｉ−Ｆｉデバイスとして供給されたネットワークパラメータに従って自身を設定し、指定されたネットワークアクセスポイントへ、クライアントとして接続する。その後、システムアドミニストレータ２００およびスマートフォン１０は、好適には、ネットワークアクセスポイントを介して互いに通信することができる。
【０１１３】
[0117]  １つの好適な実施形態では、設定手順４００において、システムアドミニストレータ２００およびスマートフォン１０が、ピアツーピア接続を確立する際にＷｉ−Ｆｉ  Ｄｉｒｅｃｔを利用することが好適であり得る。
【０１１４】
[0118]  設定手順４００において概説されたいくつかの工程は、本開示のスコープから逸脱することなく、修正、削除、または追加され得ることが認識されるであろう。たとえば、設定手順４００は、スマートフォンオペレーティングシステム以外のＰｒｏｄｕｃｔ  Ａｐｐによる実行のために適応され得る。別の例によれば、スマートフォンオペレーティングシステムは、スマートフォンからネットワークパラメータを正しく受信したことのシステムアドミニストレータによる確認後、システムアドミニストレータ２００に対して、その設定手順を開始させ得るか、または、システムアドミニストレータ２００のシステムマイクロコントローラ２０８は、スマートフォンオペレーティングシステムが処理を初期化する必要なく、スマートフォンからネットワークパラメータを正しく受信した後、スマートフォンとのピアツーピア接続を終了し、その設定手順を開始し得る。
【０１１５】
[0119]  再び図４を参照して示すように、システムアドミニストレータ２００は、好適には、その電力を引き出し、送電線通信を使用して、主送電線を介して照明モジュール３００と通信する。送電線通信は、ビルの主電力アーキテクチャ内のどこでも、システムアドミニストレータ２００の便利な配置を可能にすることが認識され得る。
【０１１６】
[0120]  システムアドミニストレータ２００は、好適には、送電線ネットワークを介して照明モジュール３００ａ、３００ｂおよび３００ｃと通信する。送電線ネットワークは、システムアドミニストレータ２００と任意の照明モジュールとの間の通信が、受信局への途中で中間局を通過するビル内の電線を介してルート付けられることを可能にする。ネットワークは、物理的な配線によって形成されるので、通信経路は、多くの典型的なワイヤネットワーク構造におけるような単一のポイントツーポイントケーブルに沿っていない。メッセージが、送電線にブロードキャストされ、送電線のすべての分岐に沿って、意図された受信者へ移動する。選択された送電線通信プロトコル、仕様、または規格によってサポートされている場合、各照明モジュールまたは局は、好適には、ブロードキャスト信号のリピータとして動作し得る。例のみによって、命令データを照明モジュール３００ｂへ送信することを望んでいるシステムアドミニストレータ２００は、その命令を、ビル内の送電線へブロードキャストする。この命令は、電力システムを介して伝搬し、潜在的には、意図された照明モジュール３００ｂ受信者に達する前に、リピータとして動作する他の照明モジュールを通過する。個々の照明モジュールは、照明モジュールを、システムアドミニストレータの安全な送電線ネットワークへオーサリングした時間において、システムアドミニストレータによって割り当てられたユニークなＭＡＣ識別情報のようなユニークなアドレスによって識別される。
【０１１７】
[0121]  送電線通信は、広範な物理的なエリアにわたってデバイスを制御するための非常に強力な手段を提供することが認識され得る。スマートフォンは、本来の送電線通信能力を含んでいないので、照明モジュール３００とダイレクトに通信することはできない。システムアドミニストレータ２００は好適には、Ｐｒｏｄｕｃｔ  Ａｐｐからのデータが、照明モジュール３００と互換性をもつフォーマットに変換され通信されることと、照明モジュール３００からのデータが、Ｐｒｏｄｕｃｔ  Ａｐｐと互換性をもつフォーマットに転換され通信されることとを保証するために必要な、あらゆる計算機タスクを実行し、これによって、図４に図示されるようなワイヤレスおよび物理的な媒体を介したＰｒｏｄｕｃｔ  Ａｐｐと照明モジュール３００との間の２方式通信を容易にする。
【０１１８】
[0122]  スマートフォン１０および照明モジュール３００で動作しているＰｒｏｄｕｃｔ  Ａｐｐが通信するために、あらゆるデータは、好適には、アクセスアドミニストレータ２００の選択された設定に依存して、ピアツーピアまたはＷＬＡＮの何れか一方で、ワイヤレスで、システムアドミニストレータ２００とスマートフォン１０との間を通過する。システムアドミニストレータ２００と照明モジュール３００との間を通過するあらゆるデータは、好適には、送電線通信を使用して、ビルの主電力配線にわたって通過する。
【０１１９】
[0123]  スマートフォン１０において動作しているＰｒｏｄｕｃｔ  Ａｐｐは、好適には、利便性のために、Ｐｒｏｄｕｃｔ  Ａｐｐで照明モジュールが命名され、グループ化されることを可能にし、好適には、Ｐｒｏｄｕｃｔ  Ａｐｐからの単一の命令が、照明モジュールの指定されたグループを同時に制御できるようにする。例のみによって、ユーザは、典型的な住宅のラウンジルームに設置された４つの照明モジュールから、「ラウンジルーム」と呼ばれるグループを生成し得る。ユーザは、Ｐｒｏｄｕｃｔ  Ａｐｐによって、ラウンジルームの照明のグループをオフすることを選択し、Ｐｒｏｄｕｃｔ  Ａｐｐは、好適には、選択されたオフ命令を実行するために、４つの照明モジュールの指定されたグループへ命令を送信する。ネットワークおよび制御の当業者は、グルーピング方法およびパラメータは、本開示のスコープから逸脱することなく、Ｐｒｏｄｕｃｔ  Ａｐｐ，システムアドミニストレータ２００、および／または、照明モジュール３００内に記憶され得ることを理解するであろう。
【０１２０】
[0124]  必要に応じて、追加の照明モジュールが、システム全体へ追加され得ることが熟考され、本開示のスコープ内である。１つの好適な実施形態では、システムアドミニストレータ２００は、オーサリングの目的のために、デバイスの近接度を保証する電力の手段および照明モジュールを用いて設定され得る。照明モジュールがオーサリングされた後、システムアドミニストレータのネットワークのパラメータのすべてが、照明モジュールの不揮発性メモリに記憶されるであろう。照明モジュールは、その後、システムアドミニストレータから抜かれ、その要求された場所に物理的に設置され得る。再度電力が加えられた場合、照明モジュールは、その不揮発性メモリに保存されたパラメータを使用して、システムアドミニストレータのネットワークに参加するであろう。
【０１２１】
[0125]  将来のスマートフォンが、ＺｉｇＢｅｅワイヤレス通信能力を含むのであれば、スマートフォン１０は、好適には、両デバイスがそのように設定される場合、ＺｉｇＢｅｅを使用してシステムアドミニストレータ２００と通信し得る。
【０１２２】
[0126]  システムアドミニストレータ２００は、ＺｉｇＢｅｅ通信能力を装備されている場合、好適には、必要なＺｉｇＢｅｅプロトコルおよび規格を利用し、これによって、照明モジュールと、または、２０１３年３月１５日に出願された米国出願番号第６１／７８６，５１９号により詳しく記述されているように、ＺｉｇＢｅｅ通信能力のみを装備された他の照明技術と、通信できるようになる。
【０１２３】
[0127]  上述された工程は、本開示のスコープから逸脱することなく、全体的に、別の順序で実行され、変化され、またはいくつかの工程が追加または省略され得ることが認識されるであろう。上述されたシステムは、本開示のスコープから逸脱することなく、多くの方式で変化され得ることもまた当業者によって認識されるであろう。
【図１】
2017511966.tif 000003
【図２】
2017511966.tif 000004
【図３】
2017511966.tif 000005
【図４】
2017511966.tif 000006
【図５】
2017511966.tif 000007
【国際調査報告】
2017511966.tif 000008
2017511966.tif 000009
2017511966.tif 000010